(57)【要約】【課題】信号処理の内容を変更する情報が更新された場合、その更新された情報を秘匿性を確保しつつ提供することができるようにする。【解決手段】アルゴリズムベイ１２の第１の情報提供部３３は、信号処理装置１１の信号処理部２１の信号処理で利用する第１の情報を表す信号を、信号処理部２１に対して、有線インタフェース３１、有線４３、および、有線インタフェース２２を介して供給するとともに、第２の情報提供部３３は、信号処理部２１の信号処理の内容を変更するための第２の情報を表す信号を、信号処理部２１に対して、無線インタフェース３２、無線４４、および、無線インタフェース２３を介して供給する。本発明は、画像信号を出力する画像信号処理装置に適用可能である。【選択図】図１
2008172777.tif 000002
【特許請求の範囲】
【請求項１】
入力した信号に、所定の信号処理を施して出力する第１の信号処理装置と、
前記第１の信号処理装置に信号を供給する第２の信号処理装置とからなる信号処理システムにおいて、
前記第２の信号処理装置は、前記第１の信号処理装置の前記信号処理で利用する第１の情報を表す信号を、前記第１の信号処理装置に有線で供給する有線供給手段と、
前記第１の信号処理装置の前記信号処理の内容を変更するための第２の情報を表す信号を、前記第１の信号処理装置に無線で供給する無線供給手段と
を備え、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理システム。
【請求項２】
前記第２の信号処理装置は、前記第１の信号処理装置に対して装着される基板として形成される
ことを特徴とする請求項１に記載の信号処理システム。
【請求項３】
前記第２の情報は、前記第１の情報に基づく前記信号処理の機能を向上する情報である
ことを特徴とする請求項１に記載の信号処理システム。
【請求項４】
前記第２の情報は、前記第１の量子化テーブルとは異なる、前記量子化処理で利用する第２の量子化テーブルである
ことを特徴とする請求項３に記載の信号処理システム。
【請求項５】
前記第２の情報は、前記第１の情報に基づく前記信号処理の機能を追加する情報である
ことを特徴とする請求項１に記載の信号処理システム。
【請求項６】
前記第２の情報は、前記信号に対応する前記ブロック化データに対する動き補償の結果を表すデータであり、
前記第１の信号処理装置は、前記第２の信号処理装置により前記第１および前記第２の情報を表す信号が供給された場合、前記DCT処理により、前記第２の情報をDCT係数に変換し、前記量子化処理により、前記第１の情報を利用して、前記第２の情報に対応する前記DCT係数を量子化する
ことを特徴とする請求項５に記載の信号処理システム。
【請求項７】
前記第２の信号処理装置の前記有線供給手段は、前記第１の信号処理装置と物理的および電気的に接続する第１のコネクタを有する
ことを特徴とする請求項１に記載の信号処理システム。
【請求項８】
前記第２の信号処理装置は、前記第１の信号処理装置に対して装着される基板として形成され、前記基板はパッケージに収納され、前記第１のコネクタは、前記パッケージに配設される
ことを特徴とする請求項７に記載の信号処理システム。
【請求項９】
前記第１の信号処理装置は、前記第１のコネクタと接続される第２のコネクタを有し、
前記第２のコネクタとして、複数種類の前記第１のコネクタのそれぞれに対応する複数種類のコネクタが設けられている
ことを特徴とする請求項７に記載の信号処理システム。
【請求項１０】
前記第２のコネクタは、前記第１の信号処理装置に対して着脱可能であり、所定の規格で規定される種類のコネクタを含む
ことを特徴とする請求項９に記載の信号処理システム。
【請求項１１】
前記第１の信号処理装置は、テレビジョン受像機であり、
前記第２の信号処理装置の前記無線供給手段は、前記テレビジョン受像機に対して、画像または音声信号を無線でさらに供給する
ことを特徴とする請求項１に記載の信号処理システム。
【請求項１２】
第１および第２の信号処理装置からなる信号処理システムの信号処理方法において、
前記第１の信号処理装置は、入力した信号に、所定の信号処理を施して出力し、
前記第２の信号処理装置は、
前記第１の信号処理装置の前記信号処理で利用する第１の情報を表す信号を、前記第１の信号処理装置に有線で供給し、
前記第１の信号処理装置の前記信号処理の内容を変更するための第２の情報を表す信号を、前記第１の信号処理装置に無線で供給し、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理方法。
【請求項１３】
入力した信号に、所定の信号処理を施して出力する信号処理装置において、
他の信号処理装置により有線で送信された、前記信号処理で利用する第１の情報を表す信号を有線で受信する有線受信手段と、
前記他の信号処理装置により無線で送信された、前記信号処理の内容を変更するための第２の情報を表す信号を無線で受信する無線受信手段と
を備え、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理装置。
【請求項１４】
前記第２の情報は、前記第１の情報に基づく前記信号処理の機能を向上する情報である
ことを特徴とする請求項１３に記載の信号処理装置。
【請求項１５】
前記第２の情報は、前記第１の量子化テーブルとは異なる、前記量子化処理で利用する第２の量子化テーブルである
ことを特徴とする請求項１４に記載の信号処理装置。
【請求項１６】
前記第２の情報は、前記第１の情報に基づく前記信号処理の機能を追加する情報である
ことを特徴とする請求項１３に記載の信号処理装置。
【請求項１７】
前記第２の情報は、前記信号に対応する前記ブロック化データに対する動き補償の結果を表すデータであり、
前記信号処理装置は、前記有線受信手段により前記第１の情報を表す信号を受信するとともに、前記無線受信手段により前記第２の情報を表す信号を受信した場合、前記DCT処理により、前記第２の情報をDCT係数に変換し、前記量子化処理により、前記第１の情報を利用して、前記第２の情報に対応する前記DCT係数を量子化する
ことを特徴とする請求項１６に記載の信号処理装置。
【請求項１８】
前記有線受信手段は、前記他の信号処理装置が有する第１のコネクタと、物理的および電気的に接続する第２のコネクタを有し、
前記第２のコネクタが前記他の信号処理装置の前記第１のコネクタに接続されている場合、前記他の信号処理装置により送信される前記第１の情報を、前記第１および前記第２のコネクタを介して受信する
ことを特徴とする請求項１３に記載の信号処理装置。
【請求項１９】
前記第２のコネクタとして、複数種類の前記第１のコネクタのそれぞれに対応する複数種類のコネクタが設けられている
ことを特徴とする請求項１８に記載の信号処理装置。
【請求項２０】
前記第２のコネクタは、前記信号処理装置に対して着脱可能であり、所定の規格で規定される種類のコネクタを含む
ことを特徴とする請求項１９に記載の信号処理装置。
【請求項２１】
前記信号処理装置は、テレビジョン受像機であり、
前記無線受信手段は、前記他の信号処理装置により無線で送信された画像または音声信号を無線でさらに受信する
ことを特徴とする請求項１３に記載の信号処理装置。
【請求項２２】
入力した信号に、所定の信号処理を施して出力する信号処理装置の信号処理方法において、
他の信号処理装置により有線で送信された、前記信号処理で利用する第１の情報を表す信号を有線で受信する有線受信ステップと、
前記他の信号処理装置により無線で送信された、前記信号処理の内容を変更するための第２の情報を表す信号を無線で受信する無線受信ステップと
を含み、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理方法。
【請求項２３】
入力した信号に、所定の信号処理を施して出力する信号処理装置を制御するコンピュータのプログラムであって、
他の信号処理装置により有線で送信された、前記信号処理で利用する第１の情報を表す信号を有線で受信するように制御する有線受信制御ステップと、
前記他の信号処理装置により無線で送信された、前記信号処理の内容を変更するための第２の情報を表す信号を無線で受信するように制御する無線受信制御ステップと
を含み、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とするコンピュータが読み取り可能なプログラムが記録されている記録媒体。
【請求項２４】
入力した信号に、所定の信号処理を施して出力する信号処理装置を制御するコンピュータに、
他の信号処理装置により有線で送信された、前記信号処理で利用する第１の情報を表す信号を有線で受信するように制御する有線受信制御ステップと、
前記他の信号処理装置により無線で送信された、前記信号処理の内容を変更するための第２の情報を表す信号を無線で受信するように制御する無線受信制御ステップと
を実行させ、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とするプログラム。
【請求項２５】
入力した信号に、所定の信号処理を施して出力する他の信号処理装置に対して、前記他の信号処理装置の前記信号処理で利用する第１の情報を表す信号を、有線で供給する有線供給手段と、
前記他の信号処理装置に対して、前記他の信号処理装置の前記信号処理の内容を変更するための第２の情報を表す信号を、無線で供給する無線供給手段と
を備え、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理装置。
【請求項２６】
前記信号処理装置は、前記他の信号処理装置に対して装着させる基板として形成される
ことを特徴とする請求項２５に記載の信号処理システム。
【請求項２７】
前記第２の情報は、前記第１の情報に基づく前記信号処理の機能を向上する情報である
ことを特徴とする請求項２５に記載の信号処理装置。
【請求項２８】
前記第２の情報は、前記第１の量子化テーブルとは異なる、前記量子化処理で利用する第２の量子化テーブルである
ことを特徴とする請求項２７に記載の信号処理装置。
【請求項２９】
前記第２の情報は、前記第１の情報に基づく前記信号処理の機能を追加する情報である
ことを特徴とする請求項２５に記載の信号処理装置。
【請求項３０】
前記第２の情報は、前記信号に対応する前記ブロック化データに対する動き補償の結果を表すデータである
ことを特徴とする請求項２９に記載の信号処理装置。
【請求項３１】
前記有線供給手段は、前記他の信号処理装置と物理的および電気的に接続するコネクタを有する
ことを特徴とする請求項２５に記載の信号処理装置。
【請求項３２】
前記信号処理装置は、前記他の信号処理装置に対して装着させる基板として形成され、前記基板はパッケージに収納され、前記コネクタは、前記パッケージに配設される
ことを特徴とする請求項３１に記載の信号処理装置。
【請求項３３】
前記他の信号処理装置は、テレビジョン受像機であり、
前記無線供給手段は、前記テレビジョン受像機に対して、画像または音声信号を無線でさらに供給する
ことを特徴とする請求項２５に記載の信号処理装置。
【請求項３４】
信号処理装置の信号処理方法において、
入力した信号に、所定の信号処理を施して出力する他の信号処理装置に対して、前記他の信号処理装置の前記信号処理で利用する第１の情報を表す信号を、有線で供給する有線供給ステップと、
前記他の信号処理装置に対して、前記他の信号処理装置の前記信号処理の内容を変更するための第２の情報を表す信号を、無線で供給する無線供給ステップと
を含み、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とする信号処理方法。
【請求項３５】
信号処理装置を制御するコンピュータのプログラムであって、
入力した信号に、所定の信号処理を施して出力する他の信号処理装置に対して、前記他の信号処理装置の前記信号処理で利用する第１の情報を表す信号を、有線で供給する有線供給ステップと、
前記他の信号処理装置に対して、前記他の信号処理装置の前記信号処理の内容を変更するための第２の情報を表す信号を、無線で供給する無線供給ステップと
を含み、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とするコンピュータが読み取り可能なプログラムが記録されている記録媒体。
【請求項３６】
信号処理装置制御するコンピュータに、
入力した信号に、所定の信号処理を施して出力する他の信号処理装置に対して、前記他の信号処理装置の前記信号処理で利用する第１の情報を表す信号を、有線で供給する有線供給ステップと、
前記他の信号処理装置に対して、前記他の信号処理装置の前記信号処理の内容を変更するための第２の情報を表す信号を、無線で供給する無線供給ステップと
を実行させ、
前記信号処理は、前記信号をブロック化データに変換するブロック化処理、前記ブロック化データをDCT係数に変換するDCT処理、および、前記DCT係数を量子化する量子化処理であり、
前記第１の情報は、前記量子化処理で利用する第１の量子化テーブルである
ことを特徴とするプログラム。
【請求項３７】
入力した信号に、所定の信号処理を施して出力する信号処理装置において、
他の信号処理装置により有線で送信された、前記信号処理で利用する第１の情報を表す信号を有線で受信する有線受信手段と、
前記他の信号処理装置により無線で送信された、前記信号処理の内容を変更するための第２の情報を表す信号を無線で受信する無線受信手段と
を備え、
前記第１の情報は、符号化情報であり、
前記第２の情報は、前記符号化情報を復号するための復号情報であり、
前記信号処理装置は、前記有線受信手段により前記第１の情報を表す信号を受信するとともに、前記無線受信手段により前記第２の情報を表す信号を受信した場合、前記信号処理として、前記第２の情報を利用して、前記第１の情報を復号する復号処理を行う
ことを特徴とする信号処理装置。
【請求項３８】
入力した信号に、所定の信号処理を施して出力する信号処理装置を制御するコンピュータに、
他の信号処理装置により有線で送信された、前記信号処理で利用する第１の情報を表す信号を有線で受信するように制御する有線受信制御ステップと、
前記他の信号処理装置により無線で送信された、前記信号処理の内容を変更するための第２の情報を表す信号を無線で受信するように制御する無線受信制御ステップと
を実行させ、
前記第１の情報は、符号化情報であり、
前記第２の情報は、前記符号化情報を復号するための復号情報であり、
前記信号処理装置は、前記有線受信制御ステップの処理により前記第１の情報を表す信号を受信するとともに、前記無線受信制御ステップの処理により前記第２の情報を表す信号を受信した場合、前記信号処理として、前記第２の情報を利用して、前記第１の情報を復号する復号処理を行う
ことを特徴とするプログラム。
【請求項３９】
入力した信号に、所定の信号処理を施して出力する他の信号処理装置に対して、前記他の信号処理装置の前記信号処理で利用する第１の情報を表す信号を、有線で供給する有線供給手段と、
前記他の信号処理装置に対して、前記他の信号処理装置の前記信号処理の内容を変更するための第２の情報を表す信号を、無線で供給する無線供給手段と
を備え、
前記信号処理は、符号化情報を復号する復号処理であり、
前記第１の情報は、前記符号化情報であり、
前記第２の情報は、前記符号化情報を復号するための復号情報である
ことを特徴とする信号処理装置。
【請求項４０】
信号処理装置を制御するコンピュータに、
入力した信号に、所定の信号処理を施して出力する他の信号処理装置に対して、前記他の信号処理装置の前記信号処理で利用する第１の情報を表す信号を、有線で供給する有線供給ステップと、
前記他の信号処理装置に対して、前記他の信号処理装置の前記信号処理の内容を変更するための第２の情報を表す信号を、無線で供給する無線供給ステップと
を実行させ、
前記信号処理は、符号化情報を復号する復号処理であり、
前記第１の情報は、前記符号化情報であり、
前記第２の情報は、前記符号化情報を復号するための復号情報である
ことを特徴とするプログラム。
【発明の詳細な説明】
【技術分野】
【０００１】
本発明は、信号処理システムおよび方法、信号処理装置および方法、記録媒体、並びにプログラムに関し、特に、信号処理の内容を変更する情報がバージョンアップされた場合、そのバージョンアップされた情報を秘匿性を確保しつつ提供することができるようにした信号処理システムおよび方法、信号処理装置および方法、記録媒体、並びにプログラムに関する。
【背景技術】
【０００２】
入力した信号に、所定の信号処理を施して出力する信号処理装置に対して基板を装着し、その信号処理の内容を変更するための情報を、基板から有線で信号処理装置に供給するようにすることが知られている。この場合、例えば、信号処理装置のバスに基板が接続されることで、情報が基板から信号処理装置にバスを介して供給される。
【発明の開示】
【発明が解決しようとする課題】
【０００３】
そのような情報はバージョンアップされることがあるが、その場合、基板は、バスの制約により、バージョンアップされた情報を信号処理装置に提供することができなくなることがあるという第１の課題があった。
【０００４】
また、基板から信号処理装置に対して情報が提供されるとき、情報が漏洩する恐れがあるという第２の課題があった。
【０００５】
本発明は、このような状況に鑑みてなされたものであり、例えば、信号処理の内容を変更する情報がバージョンアップされた場合、そのバージョンアップされた情報を秘匿性を確保しつつ提供することができるようにするものである。
【課題を解決するための手段】
【０００６】
本発明の第１の側面の信号処理システムは、入力した信号に、所定の信号処理を施して出力する第１の信号処理装置と、前記第１の信号処理装置に信号を供給する第２の信号処理装置とからなる信号処理システムにおいて、前記第２の信号処理装置は、前記第１の信号処理装置の前記信号処理で利用する第１の情報を表す信号を、前記第１の信号処理装置に有線で供給する有線供給手段と、前記第１の信号処理装置の前記信号処理の内容を変更するための第２の情報を表す信号を、前記第１の信号処理装置に無線で供給する無線供給手段とを備え、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【０００７】
前記第２の信号処理装置は、前記第１の信号処理装置に対して装着される基板として形成されるようにすることができる。
【０００８】
前記第２の情報は、前記第１の情報に基づく前記信号処理の機能を向上する情報であるようにすることができる。
【０００９】
前記第２の情報は、前記第１の量子化テーブルとは異なる、前記量子化処理で利用する第２の量子化テーブルであるようにすることができる。
【００１０】
前記第２の情報は、前記第１の情報に基づく前記信号処理の機能を追加する情報であるようにすることができる。
【００１１】
前記第２の情報は、前記信号に対応する前記ブロック化データに対する動き補償の結果を表すデータであり、前記第１の信号処理装置には、前記第２の信号処理装置により前記第１および前記第２の情報を表す信号が供給された場合、前記DCT処理により、前記第２の情報をDCT係数に変換し、前記量子化処理により、前記第１の情報を利用して、前記第２の情報に対応する前記DCT係数を量子化させることができる。
【００１２】
前記第２の信号処理装置の前記有線供給手段には、前記第１の信号処理装置と物理的および電気的に接続する第１のコネクタを設けることができる。
【００１３】
前記第２の信号処理装置は、前記第１の信号処理装置に対して装着される基板として形成され、前記基板はパッケージに収納され、前記第１のコネクタは、前記パッケージに配設されるようにすることができる。
【００１４】
前記第１の信号処理装置には、前記第１のコネクタと接続される第２のコネクタを設け、前記第２のコネクタとして、複数種類の前記第１のコネクタのそれぞれに対応する複数種類のコネクタが設けられているようにすることができる。
【００１５】
前記第２のコネクタは、前記第１の信号処理装置に対して着脱可能であり、所定の規格で規定される種類のコネクタを含むようにすることができる。
【００１６】
前記第１の信号処理装置は、テレビジョン受像機であり、前記第２の信号処理装置の前記無線供給手段には、前記テレビジョン受像機に対して、画像または音声信号を無線でさらに供給させることができる。
【００１７】
本発明の第１の側面の信号処理方法は、第１および第２の信号処理装置からなる信号処理システムの信号処理方法において、前記第１の信号処理装置は、入力した信号に、所定の信号処理を施して出力し、前記第２の信号処理装置は、前記第１の信号処理装置の前記信号処理で利用する第１の情報を表す信号を、前記第１の信号処理装置に有線で供給し、
前記第１の信号処理装置の前記信号処理の内容を変更するための第２の情報を表す信号を、前記第１の信号処理装置に無線で供給し、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００１８】
本発明の第２の側面の信号処理装置は、入力した信号に、所定の信号処理を施して出力する信号処理装置において、他の信号処理装置により有線で送信された、前記信号処理で利用する第１の情報を表す信号を有線で受信する有線受信手段と、前記他の信号処理装置により無線で送信された、前記信号処理の内容を変更するための第２の情報を表す信号を無線で受信する無線受信手段とを備え、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００１９】
前記第２の情報は、前記第１の情報に基づく前記信号処理の機能を向上する情報であるようにすることができる。
【００２０】
前記第２の情報は、前記第１の量子化テーブルとは異なる、前記量子化処理で利用する第２の量子化テーブルであるようにすることができる。
【００２１】
前記第２の情報は、前記第１の情報に基づく前記信号処理の機能を追加する情報であるようにすることができる。
【００２２】
前記第２の情報は、前記信号に対応する前記ブロック化データに対する動き補償の結果を表すデータであり、前記信号処理装置には、前記有線受信手段により前記第１の情報を表す信号を受信させるとともに、前記無線受信手段により前記第２の情報を表す信号を受信した場合、前記DCT処理により、前記第２の情報をDCT係数に変換させ、前記量子化処理により、前記第１の情報を利用して、前記第２の情報に対応する前記DCT係数を量子化させることができる。
【００２３】
前記有線受信手段には、前記他の信号処理装置が有する第１のコネクタと、物理的および電気的に接続する第２のコネクタを設け、前記第２のコネクタが前記他の信号処理装置の前記第１のコネクタに接続されている場合、前記他の信号処理装置により送信される前記第１の情報を、前記第１および前記第２のコネクタを介して受信するようにすることができる。
【００２４】
前記第２のコネクタとして、複数種類の前記第１のコネクタのそれぞれに対応する複数種類のコネクタが設けられているようにすることができる。
【００２５】
前記第２のコネクタは、前記信号処理装置に対して着脱可能であり、所定の規格で規定される種類のコネクタを含むようにすることができる。
【００２６】
前記信号処理装置は、テレビジョン受像機であり、前記無線受信手段には、前記他の信号処理装置により無線で送信された画像または音声信号を無線でさらに受信させることができる。
【００２７】
本発明の第２の側面の信号処理方法は、入力した信号に、所定の信号処理を施して出力する信号処理装置の信号処理方法において、他の信号処理装置により有線で送信された、前記信号処理で利用する第１の情報を表す信号を有線で受信する有線受信ステップと、前記他の信号処理装置により無線で送信された、前記信号処理の内容を変更するための第２の情報を表す信号を無線で受信する無線受信ステップとを含み、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００２８】
本発明の第２の側面の記録媒体のプログラムは、入力した信号に、所定の信号処理を施して出力する信号処理装置を制御するコンピュータのプログラムであって、他の信号処理装置により有線で送信された、前記信号処理で利用する第１の情報を表す信号を有線で受信するように制御する有線受信制御ステップと、前記他の信号処理装置により無線で送信された、前記信号処理の内容を変更するための第２の情報を表す信号を無線で受信するように制御する無線受信制御ステップとを含み、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００２９】
本発明の第２の側面のプログラムは、入力した信号に、所定の信号処理を施して出力する信号処理装置を制御するコンピュータに実行させるプログラムであって、他の信号処理装置により有線で送信された、前記信号処理で利用する第１の情報を表す信号を有線で受信するように制御する有線受信制御ステップと、前記他の信号処理装置により無線で送信された、前記信号処理の内容を変更するための第２の情報を表す信号を無線で受信するように制御する無線受信制御ステップとをコンピュータに実行させ、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００３０】
本発明の第３の側面の信号処理装置は、入力した信号に、所定の信号処理を施して出力する他の信号処理装置に対して、前記他の信号処理装置の前記信号処理で利用する第１の情報を表す信号を、有線で供給する有線供給手段と、前記他の信号処理装置に対して、前記他の信号処理装置の前記信号処理の内容を変更するための第２の情報を表す信号を、無線で供給する無線供給手段とを備え、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００３１】
前記信号処理装置は、前記他の信号処理装置に対して装着させる基板として形成されるようにすることができる。
【００３２】
前記第２の情報は、前記第１の情報に基づく前記信号処理の機能を向上する情報であるようにすることができる。
【００３３】
前記第２の情報は、前記第１の量子化テーブルとは異なる、前記量子化処理で利用する第２の量子化テーブルであるようにすることができる。
【００３４】
前記第２の情報は、前記第１の情報に基づく前記信号処理の機能を追加する情報であるようにすることができる。
【００３５】
前記第２の情報は、前記信号に対応する前記ブロック化データに対する動き補償の結果を表すデータであるようにすることができる。
【００３６】
前記有線供給手段には、前記他の信号処理装置と物理的および電気的に接続するコネクタを設けることができる。
【００３７】
前記信号処理装置は、前記他の信号処理装置に対して装着させる基板として形成され、前記基板はパッケージに収納され、前記コネクタは、前記パッケージに配設されるようにすることができる。
【００３８】
前記他の信号処理装置は、テレビジョン受像機であり、前記無線供給手段には、前記テレビジョン受像機に対して、画像または音声信号を無線でさらに供給させることができる。
【００３９】
本発明の第３の側面の信号処理方法は、入力した信号に、所定の信号処理を施して出力する他の信号処理装置に対して、前記他の信号処理装置の前記信号処理で利用する第１の情報を表す信号を、有線で供給する有線供給ステップと、前記他の信号処理装置に対して、前記他の信号処理装置の前記信号処理の内容を変更するための第２の情報を表す信号を、無線で供給する無線供給ステップとを含み、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００４０】
本発明の第３の側面の記録媒体のプログラムは、信号処理装置を制御するコンピュータのプログラムであって、入力した信号に、所定の信号処理を施して出力する他の信号処理装置に対して、前記他の信号処理装置の前記信号処理で利用する第１の情報を表す信号を、有線で供給する有線供給ステップと、前記他の信号処理装置に対して、前記他の信号処理装置の前記信号処理の内容を変更するための第２の情報を表す信号を、無線で供給する無線供給ステップとを含み、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００４１】
本発明の第３の側面のプログラムは、信号処理装置制御するコンピュータに実行させるプログラムであって、入力した信号に、所定の信号処理を施して出力する他の信号処理装置に対して、前記他の信号処理装置の前記信号処理で利用する第１の情報を表す信号を、有線で供給する有線供給ステップと、前記他の信号処理装置に対して、前記他の信号処理装置の前記信号処理の内容を変更するための第２の情報を表す信号を、無線で供給する無線供給ステップとを実行させ、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルであることを特徴とする。
【００４２】
本発明の第４の側面の信号処理装置は、入力した信号に、所定の信号処理を施して出力する信号処理装置において、他の信号処理装置により有線で送信された、前記信号処理で利用する第１の情報を表す信号を有線で受信する有線受信手段と、前記他の信号処理装置により無線で送信された、前記信号処理の内容を変更するための第２の情報を表す信号を無線で受信する無線受信手段とを備え、前記第１の情報は、符号化情報であり、前記第２の情報は、前記符号化情報を復号するための復号情報であり、前記信号処理装置は、前記有線受信手段により前記第１の情報を表す信号を受信するとともに、前記無線受信手段により前記第２の情報を表す信号を受信した場合、前記信号処理として、前記第２の情報を利用して、前記第１の情報を復号する復号処理を行うことを特徴とする。
【００４３】
本発明の第４の側面のプログラムは、入力した信号に、所定の信号処理を施して出力する信号処理装置を制御するコンピュータに実行させるプログラムであって、他の信号処理装置により有線で送信された、前記信号処理で利用する第１の情報を表す信号を有線で受信するように制御する有線受信制御ステップと、前記他の信号処理装置により無線で送信された、前記信号処理の内容を変更するための第２の情報を表す信号を無線で受信するように制御する無線受信制御ステップとを実行させ、前記第１の情報は、符号化情報であり、前記第２の情報は、前記符号化情報を復号するための復号情報であり、前記信号処理装置は、前記有線受信制御ステップの処理により前記第１の情報を表す信号を受信するとともに、前記無線受信制御ステップの処理により前記第２の情報を表す信号を受信した場合、前記信号処理として、前記第２の情報を利用して、前記第１の情報を復号する復号処理を行うことを特徴とする。
【００４４】
本発明の第５の側面の信号処理装置は、入力した信号に、所定の信号処理を施して出力する他の信号処理装置に対して、前記他の信号処理装置の前記信号処理で利用する第１の情報を表す信号を、有線で供給する有線供給手段と、前記他の信号処理装置に対して、前記他の信号処理装置の前記信号処理の内容を変更するための第２の情報を表す信号を、無線で供給する無線供給手段とを備え、前記信号処理は、符号化情報を復号する復号処理であり、前記第１の情報は、前記符号化情報であり、前記第２の情報は、前記符号化情報を復号するための復号情報であることを特徴とする。
【００４５】
本発明の第５の側面のプログラムは、信号処理装置を制御するコンピュータに実行させるプログラムであって、入力した信号に、所定の信号処理を施して出力する他の信号処理装置に対して、前記他の信号処理装置の前記信号処理で利用する第１の情報を表す信号を、有線で供給する有線供給ステップと、前記他の信号処理装置に対して、前記他の信号処理装置の前記信号処理の内容を変更するための第２の情報を表す信号を、無線で供給する無線供給ステップとを実行させ、前記信号処理は、符号化情報を復号する復号処理であり、前記第１の情報は、前記符号化情報であり、前記第２の情報は、前記符号化情報を復号するための復号情報であることを特徴とする。
【００４６】
本発明の第１の側面においては、第１の信号処理装置により、入力した信号に、所定の信号処理が施されて出力される。前記第２の信号処理装置により、前記第１の信号処理装置の前記信号処理で利用する第１の情報を表す信号が、前記第１の信号処理装置に有線で供給されるとともに、前記第１の信号処理装置の前記信号処理の内容を変更するための第２の情報を表す信号が、前記第１の信号処理装置に無線で供給される。なお、前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルである。
【００４７】
本発明の第２の側面においては、他の信号処理装置により有線で送信された、信号処理で利用する第１の情報を表す信号が有線で受信されるとともに、前記他の信号処理装置により無線で送信された、前記信号処理の内容を変更するための第２の情報を表す信号が無線で受信される。そして、受信された前記第１及び第２の情報を利用して、前記信号処理が行われる。前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルである。
【００４８】
本発明の第３の側面においては、入力した信号に、所定の信号処理を施して出力する他の信号処理装置に対して、前記他の信号処理装置の前記信号処理で利用する第１の情報を表す信号が、有線で供給されるとともに、前記他の信号処理装置に対して、前記他の信号処理装置の前記信号処理の内容を変更するための第２の情報を表す信号が、無線で供給される。前記信号処理は、前記信号をブロック化データに変換するブロック化処理、前記ブロック化データをDCT係数に変換するDCT処理、および、前記DCT係数を量子化する量子化処理であり、前記第１の情報は、前記量子化処理で利用する第１の量子化テーブルである。
【００４９】
本発明の第４の側面においては、他の信号処理装置により有線で送信された、信号処理で利用する第１の情報を表す信号が有線で受信されるとともに、前記他の信号処理装置により無線で送信された、前記信号処理の内容を変更するための第２の情報を表す信号が無線で受信される。前記第１の情報は、符号化情報であり、前記第２の情報は、前記符号化情報を復号するための復号情報であり、前記信号処理装置において、前記第１及び第２の情報を表す信号が受信された場合、前記信号処理として、前記第２の情報を利用して、前記第１の情報を復号する復号処理が行われる。
【００５０】
本発明の第５の側面においては、入力した信号に、所定の信号処理を施して出力する他の信号処理装置に対して、前記他の信号処理装置の前記信号処理で利用する第１の情報を表す信号が、有線で供給されるとともに、前記他の信号処理装置に対して、前記他の信号処理装置の前記信号処理の内容を変更するための第２の情報を表す信号が、無線で供給される。そして、受信された前記第１及び第２の情報を利用して、前記信号処理が行われる。前記信号処理は、符号化情報を復号する復号処理であり、前記第１の情報は、前記符号化情報であり、前記第２の情報は、前記符号化情報を復号するための復号情報である。
【発明の効果】
【００５１】
本発明の第１乃至第５の側面によれば、例えば、信号処理の内容を変更することができる。特に、その変更を容易に行い、秘匿性を確保することができる。
【発明を実施するための最良の形態】
【００５２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００５３】
以下、図面を参照して本発明を適用した実施の形態について説明する。
【００５４】
図１は、本発明が適用される信号処理システムの構成例を表している。
【００５５】
図１に示されるように、信号処理システム１は、信号処理装置１１と、それに装着される基板として構成されるアルゴリズムベイ（商標）１２から構成される。
【００５６】
信号処理装置１１には、入力信号４１に、所定の信号処理を施して、出力信号４２として出力する信号処理部２１、アルゴリズムベイ１２より送信された、信号処理部２１の信号処理で利用する第１の情報を表す信号を有線４３を介して受信する有線インタフェース２２、および、アルゴリズムベイ１２より送信された、信号処理部２１の信号処理の内容を変更するための第２の情報を表す信号を無線４４を介して受信する無線インタフェース２３が設けられている。
【００５７】
アルゴリズムベイ１２には、上述した第１の情報を提供する第１の情報提供部３３、上述した第２の情報を提供する第２の情報提供部３４、信号処理装置１１の有線インタフェース２２に対して、第１の情報提供部３３より提供された第１の情報を表す信号を、有線４３を介して送信する有線インタフェース３１、および、信号処理装置１１の無線インタフェース２３に対して、第２の情報提供部３４より提供された第２の情報を表す信号を、無線４４を介して送信する無線インタフェース３２が設けられている。
【００５８】
なお、図１の例では、アルゴリズムベイ１２が、信号処理装置１１に対して装着される基板として形成されているが、このアルゴリズムベイ１２を、基板の代わりに、信号処理装置１１に対して、第１の情報を有線で供給するとともに、第２の情報を無線で供給することが可能な任意の他の装置として形成してもよい。
【００５９】
また、第１の情報提供部３３により提供される第１の情報は、それに内蔵するメモリ（図示せず）に予め記憶されている情報としてもよいし、外部（例えば、他の装置（図示せず））から供給される情報としてもよい。
【００６０】
同様に、第２の情報提供部３４により提供される第２の情報は、それに内蔵するメモリ（図示せず）に予め記憶されている情報としてもよいし、外部（例えば、他の装置（図示せず））から供給される情報としてもよい。
【００６１】
次に、信号処理システム１の動作の概略を説明する。
【００６２】
信号処理装置１１の信号処理部２１は、例えば、所定の条件（具体的な条件については、後述する）が満たされた場合、アルゴリズムベイ１２の第１の情報提供部３３より提供される第１の情報を、有線インタフェース３１、有線４３、および、有線インタフェース２２を介して取得するとともに、第２の情報提供部３４より提供される第２の情報を、無線インタフェース３２、無線（空間）４４、無線インタフェース２３を介して取得する。
【００６３】
なお、第１および第２の情報の内容や種類は、特に限定されないが、この例においては、例えば、第１の情報は、信号処理部２１の信号処理の内容を変更するための基本情報とされ、第２の情報は、第１の情報に基づく信号処理部２１の信号処理の機能を向上する情報、または、第１の情報に基づく信号処理部２１の信号処理の機能を追加する情報とされる。
【００６４】
第１および第２の情報の具体例については、後述する。
【００６５】
以上、本発明が適用される信号処理システム１の概略について説明したが、信号処理システム１は、様々な実施形態が実現可能である。
【００６６】
そのような様々な実施形態の構成例が、図２、図６、図８、および、図１０にそれぞれ示されている。
【００６７】
そこで、以下、図２に示される信号処理システム１を、第１実施形態として、図６に示される信号処理システム１を、第２実施形態として、図８に示される信号処理システム１を、第３実施形態として、図１０に示される信号処理システム１を、第４実施形態として、それぞれ個別に説明する。
【００６８】
（第１実施形態）
図２は、本発明の第１実施形態が適用される信号処理システム１の構成例を表している。
【００６９】
第１実施形態においては、信号処理部２１は、入力信号４１に対して、クラス分類適応処理を施して、出力信号４２として出力する。
【００７０】
即ち、図２に示されるように、信号処理部２１には、クラス分類適応処理、および、信号処理部２１の全体の処理を制御する制御部６１、入力信号４１の特徴を検出し、その特徴に対応するクラスを決定する特徴検出部６２、制御部６１の制御に基づき、入力信号４１と、制御部６１より供給される所定のタップ係数とを用いて適応処理を行うことで、出力信号４２を生成し、外部に出力する適応処理部６３、および、上述した適応処理が行われる場合に、通常利用するタップ係数（図２の例では、解像度創造用係数）を予め記憶しているデフォルト解像度創造用係数記憶部６４が設けられている。
【００７１】
なお、上述したクラス分類適応処理は、本出願人により先に提案された以下のような処理である。
【００７２】
即ち、クラス分類適応処理は、クラス分類処理と適応処理とからなり、クラス分類処理によって、信号（データ）が、その性質に基づいてクラス分けされ、各クラスごとに適応処理が施される。
【００７３】
なお、ここでは、クラス分類適応処理の一例として、例えば、画像信号に対する空間解像度を向上するための処理を説明する。具体的には、標準解像度の画像信号（以下、適宜、ＳＤ(Standard Definition)画像信号と称する）を、高解像度の画像信号（以下、適宜、ＨＤ(High Definition)画像信号と称する）に変換する空間解像度を向上するための適応処理について説明する。
【００７４】
この場合、適応処理では、ＳＤ画像を構成する画素（以下、適宜、ＳＤ画素という）と、所定のタップ係数との線形結合により、そのＳＤ画像の空間解像度を向上させたＨＤ画像の画素の予測値を求めることで、そのＳＤ画像の解像度を向上させた画像が得られる。
【００７５】
具体的には、例えば、いま、あるＨＤ画像を教師データとするとともに、そのＨＤ画像の解像度を劣化させたＳＤ画像を生徒データとして、ＨＤ画像を構成する画素（以下、適宜、ＨＤ画素という）の画素値ｙの予測値Ｅ［ｙ］を、幾つかのＳＤ画素（ＳＤ画像を構成する画素）の画素値ｘ1 ，ｘ2 ，・・の集合と、所定のタップ係数ｗ1 ，ｗ2 ，・・の線形結合により規定される線形１次結合モデルにより求めることを考える。この場合、予測値Ｅ［ｙ］は、式（１）で表される。
Ｅ［ｙ］＝ｗ1 ｘ1 ＋ｗ2 ｘ2 ＋・・・      （１）
【００７６】
式（１）を一般化するために、タップ係数ｗj の集合でなる行列Ｗ、生徒データｘijの集合でなる行列Ｘ、および予測値E［yi]の集合でなる行列Ｙ’を、式（２）で示されるように定義する。
【００７７】
【数１】
2008172777.tif 000003
【００７８】
式（２）に示されるように定義すると、式（３）に示されるような観測方程式が成立する。
ＸＷ＝Ｙ’    ・・・（３）
【００７９】
式（３）において、行列Ｘの成分ｘijは、ｉ件目の生徒データの集合（ｉ件目の教師データｙi の予測に用いる生徒データの集合）の中のｊ番目の生徒データを意味し、行列Ｗの成分ｗj は、生徒データの集合の中のｊ番目の生徒データとの積が演算されるタップ係数を表す。また、ｙi は、ｉ件目の教師データを表し、従って、Ｅ［ｙi ］は、ｉ件目の教師データの予測値を表す。なお、式（１）の左辺におけるｙは、行列Ｙの成分ｙi のサフィックスｉを省略したものであり、また、式（１）の右辺におけるｘ1 ，ｘ2 ，・・も、行列Ｘの成分ｘijのサフィックスｉを省略したものである。
【００８０】
そして、この観測方程式に最小自乗法を適用して、ＨＤ画素の画素値ｙに近い予測値Ｅ［ｙ］を求めることを考える。この場合、教師データとなるＨＤ画素の真の画素値ｙの集合でなる行列Ｙ、およびＨＤ画素の画素値ｙに対する予測値Ｅ［ｙ］の残差ｅの集合でなる行列Ｅを、定義すると、式（４）に示されるようになる。
【００８１】
【数２】
2008172777.tif 000004
【００８２】
この式（４）から、式（５）に示されるような残差方程式が成立する。
ＸＷ＝Ｙ＋Ｅ    ・・・（５）
【００８３】
この場合、ＨＤ画素の画素値ｙに近い予測値Ｅ［ｙ］を求めるためのタップ係数ｗj は、式（６）で示される自乗誤差を最小にすることで求めることができる。
【００８４】
【数３】
2008172777.tif 000005
【００８５】
従って、上述した自乗誤差をタップ係数ｗj で微分したものが０になる場合、即ち、式（７）を満たすタップ係数ｗj が、ＨＤ画素の画素値ｙに近い予測値Ｅ［ｙ］を求めるため最適値ということになる。
【００８６】
【数４】
2008172777.tif 000006
【００８７】
そこで、まず、上述した式（５）を、タップ係数ｗj で微分することにより、式（８）が成立する。
【００８８】
【数５】
2008172777.tif 000007
【００８９】
上述した式（７）と式（８）より、式（９）が得られる。
【００９０】
【数６】
2008172777.tif 000008
【００９１】
さらに、上述した式（５）の残差方程式における生徒データｘij、タップ係数ｗj 、教師データｙi 、および残差ｅi の関係を考慮すると、式（９）から、式（１０）に示されるような正規方程式を得ることができる。
【００９２】
【数７】
2008172777.tif 000009
【００９３】
なお、式（１０）に示される正規方程式は、行列（共分散行列）Ａおよびベクトルｖを、式（１１）に示されるように定義する。
【００９４】
【数８】
2008172777.tif 000010
【００９５】
さらに、ベクトルＷを、上述した式（２）で示されるように定義すると、式（１０）を、式（１２）で示されるように表すことができる。
ＡＷ＝ｖ      ・・・（１２）
【００９６】
上述した式（１０）における各正規方程式は、生徒データｘijおよび教師データｙi のセットを、ある程度の数だけ用意することで、求めるべきタップ係数ｗj の数Ｊと同じ数だけたてることができ、従って、上述した式（１２）を、ベクトルＷについて解くことで（ただし、式（１２）を解くには、式（１２）における行列Ａが正則である必要がある）、最適なタップ係数ｗj を求めることができる。なお、式（１２）を解くにあたっては、例えば、掃き出し法（Gauss-Jordanの消去法）などを用いることが可能である。
【００９７】
以上のように、生徒データと教師データを用いて、生徒データとタップ係数から、教師データを予測するのに最適なタップ係数ｗj を求める学習をしておき、さらに、そのタップ係数ｗj を用い、上述した式（１）により、教師データｙに近い予測値Ｅ［ｙ］を求めるのが適応処理である。
【００９８】
なお、適応処理は、ＳＤ画像には含まれていないが、ＨＤ画像に含まれる成分が再現される点で、例えば、単なる補間処理とは異なる。即ち、適応処理では、上述した式（１）だけを見る限りは、いわゆる補間フィルタを用いての補間処理と同一に見えるが、その補間フィルタのタップ係数に相当するタップ係数ｗが、教師データと生徒データを用いての学習により求められるため、ＨＤ画像に含まれる成分を再現することができる。このことから、上述したような適応処理は、いわば画像の創造（解像度創造）作用がある処理と称することができる。
【００９９】
従って、以下、上述したような適応処理を、他の適応処理と区別するために、解像度創造適応処理と称する。また、解像度創造適応処理を行う場合に利用するタップ係数（上述したようなタップ係数）を、解像度創造用係数と称する。
【０１００】
さらに、上述した例では、適応処理について、空間解像度を向上させる場合を例にして説明したが、適応処理によれば、教師データおよび生徒データを変えて学習を行うことにより得られる種々のタップ係数を用いることで、例えば、Ｓ／Ｎ(Signal to Noise Ratio) の向上や、ぼけの改善、その他の各種の処理を行うことが可能である。
【０１０１】
即ち、例えば、Ｓ／Ｎの向上やぼけの改善を、適応処理によって行うには、Ｓ／Ｎの高い画像データを教師データとするとともに、その教師データのＳ／Ｎを低下させた画像（あるいは、ぼかした画像）を生徒データとして、タップ係数を求めればよい。
【０１０２】
このような適応処理を、以下、他の適応処理と区別するために、ノイズ除去適応処理と称する。また、ノイズ除去適応処理で利用するタップ係数を、以下、ノイズ除去用係数と称する。
【０１０３】
なお、解像度創造適応処理および解像度創造用係数、並びに、ノイズ除去適応処理およびノイズ除去用係数の詳細については、本出願人により先に出願された特願２００１−１１０６９５号に開示されている。
【０１０４】
また、例えば、上述したSD信号（例えば、５２５i信号）を倍率の異なる表示画像を得るためのSD信号に変換する処理を、適応処理によって行うことができる。
【０１０５】
このような適応処理を、以下、他の適応処理と区別するために、リサイズ適応処理と称する。また、リサイズ適応処理で利用するタップ係数を、以下、リサイズ用係数と称する。
【０１０６】
なお、リサイズ適応処理およびリサイズ用係数の詳細については、本出願人により先に出願された特願２０００−３９５８７３号に開示されている。
【０１０７】
以上、クラス分類適応処理の概略について説明したが、そのようなクラス分類適応処理を行うのが、図２における信号処理部２１である。
【０１０８】
具体的には、特徴検出部６２が、上述したクラス分類処理を行い、適応処理部６３が、上述した適応処理を行う。
【０１０９】
即ち、特徴検出部６２は、入力信号４１からクラス分類を行うために必要な情報（例えば、入力信号４１が画像信号である場合、クラスタップ）を抽出し、抽出した情報に基づいて、入力信号４１のパターン（特徴）を検出し、検出したパターンに基づいて、入力信号４１のクラスを決定し、決定したクラスに対応するクラスコードを適応処理部６３に供給する。
【０１１０】
適応処理部６３は、出力信号４２を予測生成するために必要な情報（例えば、入力信号４１が画像信号である場合、予測タップ）を抽出し、抽出したその情報と、制御部６１より供給されるタップ係数とを用いて予測演算を行うことで、出力信号４２を生成し、外部に出力する。
【０１１１】
図２の例では、信号処理部２１は、通常、デフォルト解像度創造用係数記憶部６４に記憶されている解像度創造用係数（以下、他のタップ係数と区別するために、デフォルト解像度創造用係数と称する）を利用して、解像度創造適応処理を行うようになされているが、上述したように、クラス分類適応処理は、これに限定されるものではない。即ち、信号処理部２１は、クラス分類適応処理の機能を向上するために、他のタップ係数を利用して、クラス分類適応処理を行ってもよい。
【０１１２】
このクラス分類適応処理の機能を向上するためのタップ係数を、信号処理装置１１（信号処理部２１）に提供するものが、図２に示されるアルゴリズムベイ１２である。
【０１１３】
図２のアルゴリズムベイ１２において、第１の情報提供部３３には、デフォルト解像度創造用係数とは異なる解像度創造用係数を記憶する解像度創造用係数記憶部７２、ノイズ除去用係数を記憶するノイズ除去用係数記憶部７３、リサイズ用係数を記憶するリサイズ用係数記憶部７４、並びに、解像度創造用係数記憶部７２に記憶されている解像度創造用係数、ノイズ除去用係数記憶部７３に記憶されているノイズ除去用係数、および、リサイズ用係数記憶部７４に記憶されているリサイズ用係数の中から、信号処理装置１１（制御部６１）により指定された係数を読出し、有線インタフェース３１に供給するセレクタ部７１が設けられている。
【０１１４】
即ち、図２の例では、制御部６１は、指示信号６５に対応する適応処理で利用するタップ係数（解像度創造用係数、ノイズ除去用係数、または、リサイズ用係数）の提供を、有線インタフェース２２、有線４３、および、有線インタフェース３１を介してセレクタ部７１に要求する。セレクタ部７１は、要求されたタップ係数を、解像度創造用係数記憶部７２、ノイズ除去用係数記憶部７３、および、リサイズ用係数記憶部７４のうちのいずれかから読出し、それを第１の情報として、有線インタフェース３１、有線４３、および、有線インタフェース２２を介して信号処理部２１（制御部６１）に供給する。
【０１１５】
適応処理部６３の適応処理の機能をさらに向上させるために、第２の情報提供部３４は、第１の情報として提供されるタップ係数とは異なるもの（例えば、バージョンアップされたタップ係数等）を、無線インタフェース３２、無線４４、および、無線インタフェース２３を介して信号処理部２１（制御部６１）に供給する。
【０１１６】
例えば、いま、第１の情報として提供される解像度創造用係数（解像度創造用係数記憶部７２に記憶されるタップ係数）が、以下のようなタップ係数とされる。
【０１１７】
即ち、例えば、クラスタップとして、図３に示されるように、フレーム内の所定の５つのタップ９１を利用し、予測タップとして、図４に示されるように、フレーム内の５つのタップ９１に、時間方向に２つのタップ（タップ９１のフレームより時間的に前または後のフレームのタップ９２−１、および、タップ９２−２）を加えた７つのタップを利用し、かつ、クラス数３２のクラスを利用するクラス分類適応処理において利用されるタップ係数とされる。
【０１１８】
この場合、第２の情報として提供される解像度創造用係数（解像度創造用付加係数記憶部７６に記憶されるタップ係数）は、例えば、以下のようなタップ係数とすることができる。
【０１１９】
即ち、例えば、クラスタップおよび予測タップとして、７つのタップ（図４）を利用し、かつ、クラス数１２８のクラスを利用するクラス分類適応処理において利用されるタップ係数とすることができる。
【０１２０】
または、第２の情報として提供される解像度創造用係数（解像度創造用付加係数記憶部７６に記憶されるタップ係数）は、例えば、以下のようなタップ係数とすることができる。
【０１２１】
即ち、例えば、クラスタップおよび予測タップとして、７つのタップ（図４）を利用し、かつ、クラス数１２８のクラスを条件として、クラス分類処理が行われて決定されたクラスに対応するクラスコードの下２桁のビット（図４のタップ９２−１，９２−２に対応するビット）が「０１」、「１０」、または「１１」のいずれかである場合の、そのクラスコード（クラス）に対応するタップ係数とすることができる。
【０１２２】
この場合、例えば、図２の特徴検出部６２により決定された入力信号４１のクラスに対応するクラスコードの下２桁のビットが「００」であるとき、制御部６１は、アルゴリズムベイ１２の解像度創造用係数記憶部７２に記憶されたタップ係数（第１の情報）のうちのそのクラスに対応するものを、有線インタフェース２２、有線４３、アルゴリズムベイ１２の有線インタフェース３１、および、セレクタ部７１を介して読出し、適応処理部６３に供給する。即ち、適応処理部６３は、第１の情報に対応するタップ係数（解像度創造用係数）を利用して、入力信号４１に解像度創造適応処理を施す。
【０１２３】
これに対して、例えば、図２の特徴検出部６２により決定された入力信号４１のクラスに対応するクラスコードの下２桁のビットが「０１」、「１０」、または、「１１」のうちのいずれかであるとき、制御部６１は、アルゴリズムベイ１２の解像度創造用付加係数記憶部７６に記憶されたタップ係数（第２の情報）のうちのそのクラスに対応するものを、無線インタフェース２３、無線４４、アルゴリズムベイ１２の無線インタフェース３２、および、セレクタ部７５を介して読出し、適応処理部６３に供給する。即ち、適応処理部６３は、第２の情報に対応するタップ係数（解像度創造用付加係数）を利用して、入力信号４１に解像度創造適応処理を施す。
【０１２４】
なお、以下、図２の第２の情報提供部３４により提供されるタップ係数を、第１の情報提供部３３により提供される係数と区別するために、付加係数と称する。
【０１２５】
図２の第２の情報提供部３４には、解像度創造用付加係数を記憶する解像度創造用付加係数記憶部７６、ノイズ除去用付加係数を記憶するノイズ除去用付加係数記憶部７７、リサイズ用付加係数を記憶するリサイズ用付加係数記憶部７８、並びに、解像度創造用付加係数記憶部７６に記憶されている解像度創造用付加係数、ノイズ除去用付加係数記憶部７７に記憶されているノイズ除去用付加係数、および、リサイズ用付加係数記憶部７８に記憶されているリサイズ用付加係数の中から、信号処理装置１１（制御部６１）により指定された付加係数を読出し、無線インタフェース３２に供給するセレクタ部７５が設けられている。
【０１２６】
即ち、図２の例では、制御部６１は、指示信号６５に対応する適応処理で利用するタップ係数（デフォルト解像度創造用係数、または、第１の情報（タップ係数）とは異なる、解像度創造用付加係数、ノイズ除去用付加係数、または、リサイズ用付加係数）の提供を、無線インタフェース２３、無線４４、および、無線インタフェース３２を介してセレクタ部７５に要求する。セレクタ部７５は、要求されたタップ係数を、対応する記憶部（解像度創造用付加係数記憶部７６、ノイズ除去用付加係数記憶部７７、および、リサイズ用付加係数記憶部７８のうちのいずれか）から読出し、それを第２の情報として、無線インタフェース３２、無線４４、および、無線インタフェース２３を介して信号処理部２１（制御部６１）に供給する。
【０１２７】
次に、図５のフローチャートを参照して、図２の信号処理システム１の処理例について説明する。
【０１２８】
ステップＳ１において、信号処理装置１１の特徴検出部６２は、入力信号４１の特徴を検出する。即ち、特徴検出部６２は、入力信号４１の特徴を検出し、特徴に基づいてクラスを決定し、そのクラスに対応するクラスコードを適応処理部６３に供給する。
【０１２９】
ステップＳ２において、信号処理装置１１の制御部６１は、アルゴリズムベイ１２が装着されているか否かを判定する。
【０１３０】
ステップＳ２において、アルゴリズムベイ１２が装着されていないと判定した場合、制御部６１は、ステップＳ３において、デフォルト解像度創造用係数記憶部６４に記憶されているデフォルト解像度創造用係数を取得する。
【０１３１】
これに対して、ステップＳ２において、アルゴリズムベイ１２が装着されている判定した場合、制御部６１は、ステップＳ４において、ユーザ等からの指令に基づく指示信号６５が入力されたか否かを判定する。
【０１３２】
ステップＳ４において、指示信号６５が入力されたと判定した場合、制御部６１は、ステップＳ５において、指示信号６５に対応する機能（適応処理）のタップ係数をアルゴリズムベイ１２より取得する。
【０１３３】
例えば、指示信号６５が、上述したような、クラスタップおよび予測タップとして、７つのタップ（図４）を利用する解像度創造適応処理（機能）を指示した場合、制御部６１は、特徴検出部６２により決定されたクラスコードに対応する解像度創造用係数の提供をアルゴリズムベイ１２に要求する。具体的には、制御部６１は、無線インタフェース２３、無線４４、および、無線インタフェース３２を介してセレクタ部７５に、特徴検出部６２により決定されたクラスコードに対応する解像度創造用付加係数の提供を要求する。
【０１３４】
セレクタ部７５は、要求された解像度創造用付加係数を解像度創造用付加係数記憶部７６より読出し、無線インタフェース３２、無線４４、および、無線インタフェース２３を介して制御部６１に提供する。
【０１３５】
これに対して、ステップＳ４において、指示信号６５が入力されていないと判定した場合、ステップＳ６において、制御部６１は、自分自身が指定したタップ係数をアルゴリズムベイ１２より取得する。
【０１３６】
この例においては、例えば、指示信号６５が入力されない場合、制御部６１が、上述したような、クラスタップとして、５つのタップ（図３）を利用し、かつ、予測タップとして、７つのタップ（図４）を利用する解像度創造適応処理を適応処理部６３に実行させるとき、制御部６１は、特徴検出部６２により決定されたクラスコードに対応する解像度創造用係数の提供をアルゴリズムベイ１２に要求する。具体的には、制御部６１は、有線インタフェース２２、有線４３、および、有線インタフェース３１を介してセレクタ部７１に、特徴検出部６２により決定されたクラスコードに対応する解像度創造用係数の提供を要求する。
【０１３７】
セレクタ部７１は、要求された解像度創造用係数を解像度創造用係数記憶部７２より読出し、有線インタフェース３１、有線４３、および、有線インタフェース２２を介して制御部６１に提供する。
【０１３８】
ステップＳ７において、適応処理部６３は、制御部６１の制御に基づいて、上述したステップＳ３、Ｓ５、または、Ｓ６の処理で制御部６１により取得されたタップ係数に基づいて、入力信号４１に対して、上述した適応処理を実行し、生成した出力信号４２を外部に出力する。
【０１３９】
ステップＳ８において、制御部６１は、全ての入力信号４１が処理されたか否かを判定する。
【０１４０】
制御部６１は、まだ全ての入力信号４１が処理されていないと判定した場合、その処理を、ステップＳ１に戻し、それ以降の処理を繰り返す。即ち、全ての入力信号４１に対して、上述したクラス分類適応処理が施され、その処理の結果である出力信号４２が外部に出力される。
【０１４１】
そして、全ての入力信号４１に対する適応処理が完了すると（最後の出力信号４２が出力されると）、ステップＳ８において、全ての入力信号が入力されたと判定され、その処理が終了される。
【０１４２】
（第２実施形態）
図６は、本発明の第２実施形態が適用される信号処理システム１の構成例を表しており、図２のそれに対応する部分には、対応する符号が付してある。
【０１４３】
図６の信号処理装置１１は、図２のそれと基本的に同一の構成とされる。即ち、図６の信号処理装置１１は、入力信号４１に対して、クラス分類適応処理を施して、その処理の結果である出力信号４２を外部に出力する。
【０１４４】
そのような信号処理装置１１に対して、第１実施形態においては、図２に示されるように、クラス分類適応処理の機能を向上するためのタップ係数を、信号処理装置１１（信号処理部２１）に提供するアルゴリズムベイ１２が接続される例について説明した。これに対して、第２実施形態においては、図６に示されるように、クラス分類適応処理の機能を追加するためのタップ係数を、信号処理装置１１（信号処理部２１）に提供するアルゴリズムベイ１２が接続される例について説明する。
【０１４５】
即ち、図６の信号処理装置１１は、上述したように、通常、デフォルト解像度創造用係数記憶部６４に記憶されているデフォルト解像度創造用係数を利用して、解像度創造適応処理を実行する。
【０１４６】
図６のアルゴリズムベイ１２は、そのような信号処理装置１１に対して、第１の情報として、通常と同様の機能（解像度創造適応処理）で利用する解像度創造用係数（ただし、デフォルト解像度創造用係数とは異なるもの）を有線で提供し、かつ、第２の情報として、通常とは異なる機能（例えば、図６の例では、ノイズ除去適応処理）で利用するノイズ除去用係数を無線で提供するものである。
【０１４７】
具体的には、図６のアルゴリズムベイ１２には、有線インタフェース３１、無線インタフェース３２、有線インタフェース３１を介して第１の情報（図６の例では、解像度創造用係数）を提供する第１の情報提供部３３としての解像度創造用係数記憶部１０１、および、無線インタフェース３２を介して第２の情報（図６の例では、ノイズ除去用係数）を提供する第２の情報提供部３４としてのノイズ除去用係数記憶部１０２が設けられている。
【０１４８】
なお、ここで、機能の追加は、元の第１の機能を利用せずに、第２の機能を利用することを含むだけではなく、元の第１の機能と第２の機能を併用して利用することも含む。即ち、この例においては、例えば、指示信号６５が、ノイズ除去の指示信号とされる場合、適応処理部６３は、単にノイズ除去適応処理のみを実行するのではなく、ノイズ除去適応処理と解像度創造適応処理の両者の処理を実行する。
【０１４９】
図６の信号処理システム１の処理が、図７のフローチャートに示されているが、その処理は、基本的に図２のそれと同様である。即ち、図７のステップＳ２１乃至Ｓ２８のそれぞれの処理は、図５のステップＳ１乃至Ｓ８のそれぞれの処理と基本的に同様の処理である。
【０１５０】
ただし、図７のステップＳ２４乃至Ｓ２７の処理は、図５のステップＳ４乃至Ｓ７の処理と若干異なる。そこで、以下、図７のステップＳ２４乃至Ｓ２７の処理についてのみ説明する。
【０１５１】
即ち、ステップＳ２２において、図６のアルゴリズムベイ１２が装着されていると判定された場合、ステップＳ２４において、制御部６１は、ノイズ除去の指示信号６５が入力されたか否かを判定する。
【０１５２】
ステップＳ２４において、ノイズ除去の指示信号６５が入力されたと判定した場合、ステップＳ２５において、制御部６１は、解像度創造用係数、および、ノイズ除去用係数をアルゴリズムベイ１２より取得する。
【０１５３】
具体的には、制御部６１は、有線インタフェース２２、有線４３、および、有線インタフェース３１を介して、対応する解像度創造用係数を解像度創造用係数記憶部１０１より読出し、取得するととともに、無線インタフェース２３、無線４４、および、無線インタフェース３２を介して、対応するノイズ除去用係数をノイズ除去用係数記憶部１０２より読出し、取得する。
【０１５４】
そして、ステップＳ２７において、適応処理部６３は、制御部６１の制御に基づいて、制御部６１により取得された解像度創造用係数で解像度創造適応処理を実行した後、さらに、制御部６１により取得されたノイズ除去用係数を利用して、ノイズ除去適応処理を実行する。
【０１５５】
これに対して、ステップＳ２４において、指示信号６５が入力されていないと判定した場合、制御部６１は、ステップＳ２６において、解像度創造用係数をアルゴリズムベイ１２より取得する。
【０１５６】
具体的には、制御部６１は、有線インタフェース２２、有線４３、および、有線インタフェース３１を介して、対応する解像度創造用係数を解像度創造用係数記憶部１０１より読出し、取得する。
【０１５７】
そして、ステップＳ２７において、適応処理部６３は、制御部６１の制御に基づいて、制御部６１により取得された解像度創造用係数を利用して、解像度創造適応処理を実行する。
【０１５８】
（第３実施形態）
図８は、本発明の第３実施形態が適用される信号処理システム１の構成例を表しており、図１のそれに対応する部分には、対応する符号が付してある。
【０１５９】
図２と図６の信号処理装置１１（第１と第２実施形態が適用される信号処理装置１１）は、信号処理として、クラス分類適応処理を実行したが、図８の信号処理装置１１（第３実施形態が適用される信号処理装置１１）は、信号処理として、符号化処理を実行する。
【０１６０】
即ち、図８に示されるように、信号処理装置１１の信号処理部２１には、符号化処理（図８の例では、量子化部１２４の量子化処理）、および、信号処理部２１の全体の処理を制御する制御部１２１、入力信号４１をブロック化データに変換するブロック化部１２２、および、ブロック化データに、DCT（Discrete Consign Transform：離散コサイン変換）処理を施して、DCT係数に変換するDCT部１２３が設けられている。
【０１６１】
信号処理部２１にはまた、制御部１２１の制御に基づいて、制御部１２１より供給される所定の量子化テーブルを利用して、DCT部１２３より供給されるDCT係数を量子化する量子化部１２４、量子化されたデータ（以下、量子化データと称する）に対して、ハフマン符号化処理を施して、出力信号４２として外部に出力するハフマン符号化部１２５、および、上述した量子化処理が行われる場合に、通常利用する量子化テーブル（以下、デフォルト量子化テーブルと称する）を予め記憶しているデフォルト量子化テーブル記憶部１２６が設けられている。
【０１６２】
なお、この例においては、例えば、出力信号４２は、少なくとも、ハフマン符号化処理が施された符号化データ、および、ハフマンテーブルに対応する信号から構成され、必要に応じて、量子化処理で利用した量子化テーブルに対応する信号も含まれる。
【０１６３】
図８のアルゴリズムベイ１２は、符号化処理（具体的には、量子化部１２４の量子化処理）の機能を向上するための量子化テーブルを提供するものである。
【０１６４】
即ち、図８のアルゴリズムベイ１２には、有線インタフェース３１、無線インタフェース３２、第１の情報（デフォルト量子化テーブルとは異なる第１の量子化テーブル）を有線インタフェース３１を介して提供する第１の情報提供部３３としての第１の量子化テーブル記憶部１３１、および、第２の情報（デフォルト量子化テーブルと、第１の量子化テーブルとは異なる第２の量子化テーブル）を無線インタフェース３２を介して提供する第２の情報提供部３４としての第２の量子化テーブル記憶部１３２が設けられている。
【０１６５】
第１および第２の量子化テーブルは、特に限定されないが、例えば、第１の量子化テーブルは、通常利用するもの、具体的には、入力信号４１が、自然画に対応する信号である場合に利用する量子化テーブル等とすることができる。即ち、自然画には、ビットの割り当てが、広い周波数帯域で利用可能となるように行われる量子化テーブルが好適とされるので、そのような量子化テーブルを、第１の量子化テーブルとすることができる。
【０１６６】
これに対して、第２の量子化テーブルは、例えば、特殊の用途に利用するもの、具体的には、入力信号４１がコンピュータグラフィックスに対応する信号である場合に利用する量子化テーブル等とすることができる。即ち、コンピュータグラフィックスは、自然画に比べて一般的に平坦部分が多いので、コンピュータグラフィックスには、ビットの割り当てが、特定の周波数帯域に集中されるように行われる量子化テーブルが好適であり、そのような量子化テーブルを、第２の量子化テーブルとすることができる。
【０１６７】
即ち、この例では、第２の量子化テーブルは、第１の量子化テーブルを利用する符号化処理に対して、さらに機能を向上するための符号化処理（例えば、通常使用する自然画だけではなく、コンピュータグラフィックス等の特殊な用途専用の符号化処理）に利用する量子化テーブルとされる。
【０１６８】
次に、図９のフローチャートを参照して、図８の信号処理システム１の処理例について説明する。
【０１６９】
ステップＳ４１において、信号処理装置１１のブロック化部１２２は、入力信号４１をブロック化し、ブロック化データとしてDCT部１２３に供給する。
【０１７０】
ステップＳ４２において、DCT部１２３は、供給されたブロック化データをDCT係数に変換し、量子化部１２４に供給する。
【０１７１】
ステップＳ４３において、制御部１２１は、アルゴリズムベイ１２が装着されているか否かを判定する。
【０１７２】
ステップＳ４３において、アルゴリズムベイ１２が装着されていないと判定した場合、制御部１２１は、ステップＳ４４において、デフォルト量子化テーブル記憶部１２６に記憶されているデフォルト量子化テーブルを取得する。
【０１７３】
これに対して、ステップＳ４３において、アルゴリズムベイ１２が装着されている判定した場合、制御部１２１は、ステップＳ４５において、指示信号１２７が入力されたか否かを判定する。
【０１７４】
ステップＳ４３において、制御部１２１は、指示信号１２７が入力されたと判定した場合、ステップＳ４６において、指示信号１２７に対応する量子化テーブルをアルゴリズムベイ１２より取得する。
【０１７５】
具体的には、例えば、指示信号１２７が、第２の量子化テーブルを利用することを指示する信号である場合、制御部１２１は、無線インタフェース２３、無線４４、および、無線インタフェース３２を介して、第２の量子化テーブル記憶部１３２に記憶されている第２の量子化テーブルを取得する。
【０１７６】
また、指示信号１２７が、第１の量子化テーブルを利用することを指示する信号である場合、制御部１２１は、有線インタフェース２２、有線４３、および、有線インタフェース３１を介して、第１の量子化テーブル記憶部１３１に記憶されている第１の量子化テーブルを取得する。
【０１７７】
これに対して、ステップＳ４５において、指示信号１２７が入力されていないと判定した場合、制御部１２１は、ステップＳ４７において、第１の量子化テーブルをアルゴリズムベイ１２より取得する。
【０１７８】
具体的には、制御部１２１は、有線インタフェース２２、有線４３、および、有線インタフェース３１を介して、第１の量子化テーブル記憶部１３１に記憶されている第１の量子化テーブルを取得する。
【０１７９】
ステップＳ４８において、量子化部１２４は、制御部１２１の制御に基づいて、上述したステップＳ４４、Ｓ４６、または、Ｓ４７の処理で制御部１２１により取得された量子化テーブルを利用して、上述したステップＳ４２の処理でDCT部１２３より供給されたDCT係数を量子化する。そして、量子化部１２４は、その量子化データ、および、それに対応する量子化テーブルをハフマン符号化部１２５に供給する。
【０１８０】
ステップＳ４９において、ハフマン符号化部１２５は、供給された量子化データをハフマン符号化する。そして、ハフマン符号化部１２５は、ハフマン符号化した符号化データ、並びに、それに対応するハフマンテーブル、および、量子化テーブル（上述したステップＳ４８の処理で量子化部１２４より供給された量子化テーブル）から構成される信号を、出力信号４２として外部に出力する。
【０１８１】
ステップＳ５０において、制御部１２１は、全ての入力信号４１が処理されたか否かを判定する。
【０１８２】
制御部１２１は、まだ全ての入力信号４１が処理されていないと判定した場合、その処理を、ステップＳ４１に戻し、それ以降の処理を繰り返す。即ち、全ての入力信号４１が、符号化されて、その符号化データ（並びに、それに対応するハフマンテーブル、および、量子化テーブル）から構成される出力信号４２が外部に出力される。
【０１８３】
そして、全ての入力信号４１に対する符号化処理が完了すると（最後の出力信号４２が出力されると）、ステップＳ５０において、全ての入力信号が処理されたと判定され、その処理が終了される。
【０１８４】
（第４実施形態）
図１０は、本発明の第４実施形態が適用される信号処理システム１の構成例を表しており、図２のそれに対応する部分には、対応する符号が付してある。
【０１８５】
図１０の信号処理装置１１（第４実施形態が適用される信号処理装置１１）は、図８の信号処理装置１１（第３実施形態が適用される信号処理装置１１）と同様に、信号処理として、符号化処理を実行する。
【０１８６】
ただし、図１０の信号処理装置１１においては、信号処理装置１１の信号処理部２１には、符号化処理（図１０の例では、DCT部１５４と量子化部１５５の処理）、および、信号処理部２１の全体の処理を制御する制御部１５１、入力信号４１を、フレームを単位として記憶するフレーム記憶部１５２、フレームデータをブロック化データに変換するブロック化部１５３、および、制御部１５１の制御に基づいて、ブロック化データをDCT係数に変換するDCT部１５４が設けられている。
【０１８７】
信号処理部２１にはまた、制御部１５１の制御に基づいて、制御部１５１より供給される所定の量子化テーブルを利用して、DCT部１５４より供給されるDCT係数を量子化する量子化部１５５、量子化データに対して、ハフマン符号化処理を施して、出力信号４２として外部に出力するハフマン符号化部１５６、および、デフォルト量子化テーブルを予め記憶しているデフォルト量子化テーブル記憶部１５７が設けられている。
【０１８８】
なお、この例においては、例えば、出力信号４２は、図８のそれと同様に、少なくとも、ハフマン符号化処理が施された符号化データ、および、ハフマンテーブルに対応する信号から構成され、必要に応じて、量子化処理で利用した量子化テーブルに対応する信号も含まれる。
【０１８９】
即ち、図１０の信号処理装置１１は、フレームを単位として、画像信号を符号化する装置である。
【０１９０】
しかしながら、図１０の信号処理装置１１単体では、イントラ（画像内）符号化を行うことは可能であるが、動き補償処理を利用するインター（画像間）符号化を行うことは困難である。即ち、図１０の信号処理装置１１単体では、MPEG(Moving Picture Experts Group)等の符号化方式を利用して、画像を符号化することは困難である。
【０１９１】
そこで、そのような符号化を可能にするために（そのような符号化処理の機能を追加するために）、図１０のアルゴリズムベイ１２が、信号処理装置１１に接続される。
【０１９２】
即ち、図１０のアルゴリズムベイ１２は、第１の情報として、量子化部１５５の量子化処理で利用する量子化テーブルを有線で提供するとともに、第２の情報として、これから符号化するブロック化データに対する動き補償の結果を表すデータを無線で提供するものである。
【０１９３】
これにより、信号処理装置１１は、これらの第１の情報（量子化テーブル）、および、第２の情報（動き補償の結果）を利用して、インター（画像間）符号化の処理を行うことが可能になる。
【０１９４】
具体的には、アルゴリズムベイ１２には、有線インタフェース３１、無線インタフェース３２、第１の情報（量子化テーブル）を、有線インタフェース３１に提供する第１の情報提供部３３としての量子化テーブル記憶部１７１、および、第２の情報（動き補償の結果）を、無線インタフェース３２に提供する第２の情報提供部３４が設けられている。
【０１９５】
第２の情報提供部３１には、逆量子化部１７２、逆DCT部１７３、および、動き補償部１７４が設けられている。
【０１９６】
逆量子化部１７２は、量子化部１５５から出力される量子化データを、制御部１５１、無線インタフェース２３、無線４４、および、無線インタフェース３２を介して取得し、それを逆量子化して、逆DCT部１７３に供給する。
【０１９７】
逆DCT部１７３は、供給された逆量子化されたデータに対して、逆DCT処理を施して、元のブロック化データに復元して、動き補償部１７４に供給する。
【０１９８】
動き補償部１７４は、この逆DCT化されたデータ（元のブロック化データ）と、フレーム記憶部１５２より、制御部１５１、有線インタフェース２２、有線４３、および、有線インタフェース３１を介して供給された前のフレームのデータとの差分値が最小となる位置を演算し、その位置に基づいて動きベクトルを検出する。さらに、動き補償部１７４は、検出した動きベクトルを基に、元のブロック化データに対応する参照画像データを生成し、元のブロック化データと生成した参照画像データとの差分値を演算する（最小差分値を演算する）。そして、動き補償部１７４は、この差分値に対応する信号（以下、差分値信号と称する）１８２を、無線インタフェース３２、無線４４、無線インタフェース２３を介して制御部１５１に供給する。
【０１９９】
この差分値信号１８２は、さらに、DCT部１５４に供給され、DCT部１５４によりDCT係数に変換され、量子化部１５５により、量子化テーブル記憶部１７１の量子化テーブルを利用して量子化されて、ハフマン符号化部１５６によりハフマン符号化の処理が施される。
【０２００】
次に、図１１のフローチャートを参照して、図１０の信号処理システム１の処理について説明する。
【０２０１】
ステップＳ７１において、信号処理装置１１のフレーム記憶部１５２は、入力信号４１を、フレームを単位として記憶する。
【０２０２】
そして、フレーム記憶部１５２は、これから符号化するフレームデータをブロック化部１５３に供給する。
【０２０３】
ステップＳ７２において、ブロック化部１５３は、供給されたフレームデータをブロック化し、ブロック化データとしてDCT部１５４に供給する。
【０２０４】
ステップＳ７３において、DCT部１５４は、供給されたブロック化データをDCT係数に変換し、量子化部１５５に供給する。
【０２０５】
ステップＳ７４において、制御部１５１は、アルゴリズムベイ１２が装着されているか否かを判定する。
【０２０６】
ステップＳ７４において、アルゴリズムベイ１２が装着されていないと判定された場合、スッテプＳ７５において、量子化部１５５は、制御部１５１の制御に基づいて、デフォルト量子化テーブル記憶部１５７に記憶されているデフォルト量子化テーブルを利用して、上述したステップＳ７３の処理でDCT部１５４により供給されたDCT係数を量子化し、ハフマン符号化部１５６に供給する。
【０２０７】
ステップＳ８０において、ハフマン符号化部１５６は、供給された量子化データをハフマン符号化する。そして、ハフマン符号化部１５６は、その符号化データ、並びに、それに対応するハフマンテーブル、および、量子化テーブルから構成される出力信号４２を外部に出力する。
【０２０８】
これに対して、ステップＳ７４において、アルゴリズムベイ１２が装着されている判定した場合、制御部１５１は、ステップＳ７６において、アルゴリズムベイ１２より量子化テーブルを取得する。
【０２０９】
具体的には、制御部１５１は、有線インタフェース２２、有線４３、および有線インタフェース３１を介して量子化テーブル記憶部１７１より、対応する量子化テーブルを取得する。
【０２１０】
ステップＳ７７において、量子化部１５５は、制御部１５１の制御に基づいて、上述したステップＳ７６の処理で制御部１５１により取得された量子化テーブルを利用して、上述したステップＳ７３の処理でDCT部１５４により供給されたDCT係数を量子化する。
【０２１１】
ステップＳ７８において、制御部１５１は、動き補償の指示信号１５８が入力されたか否か判定する。
【０２１２】
この例においては、例えば、信号処理装置１１は、MPEG方式を利用して符号化処理を行うものとすると、指示信号１５８が、これから符号化するフレームが、Ｉピクチャ（Intra-Picture）であることを表す信号である場合、制御部１５１は、ステップＳ７８において、動き補償の指示信号１５８が入力されていないと判定する。
【０２１３】
なお、Ｉピクチャの画像データは、その１フレーム分の画像データが、他のフレームの画像データを利用することなくそのまま符号化された画像データ（イントラ符号化画像データ）である。
【０２１４】
そして、ステップＳ８０において、ハフマン符号化部１５６は、上述したステップＳ７７の処理で量子化部１５５により量子化された量子化データを取得し、ハフマン符号化し、それを出力信号４２として外部に出力する。
【０２１５】
これに対して、指示信号１５８が、これから符号化するフレームが、Ｐピクチャ（Predictive-Picture）、またはＢピクチャ（Bidirectionally Predictive-Picture）のいずれか一方であることを表す信号である場合、制御部１５１は、ステップＳ７８において、動き補償の指示信号１５８が入力されたと判定し、ステップＳ７９において、「動き補償処理」を実行する。
【０２１６】
なお、Ｐピクチャの画像データは、基本的には、それより時間的に先行するＩピクチャまたはＰピクチャの画像データからの差分が符号化された画像データ（フレーム間順方向予測符号化画像データ）である。また、Ｂピクチャの画像データは、基本的には、時間的に先行するＩピクチャ若しくはＰピクチャの画像データ、または後行するＩピクチャ若しくはＰピクチャからの画像データからの差分が符号化された画像データ（フレーム間双方向予測符号化画像データ）である。
【０２１７】
この例の「動き補償処理」の詳細が、図１２のフローチャートに示されている。そこで、図１２を参照して、この例の「動き補償処理」の詳細について説明する。
【０２１８】
上述した（図１１に示される）ステップＳ７８において、制御部１５１は、動き補償の指示信号１５８が入力されたと判定すると、ステップＳ７７の処理で量子化部１５５により量子化された量子化データを、無線インタフェース２３、無線４４、および、無線インタフェース３２を介して逆量子化部１７２に供給する。
【０２１９】
図１２において、このとき、ステップＳ９１において、逆量子化部１７２は、供給された逆量子化データを逆量子化して、DCT係数（図１１のステップＳ７３の処理でDCT部１５４により出力されたDCT係数に対応するDCT係数）を復元し、逆DCT部１７３に供給する。
【０２２０】
ステップＳ９２において、逆DCT部１７３は、供給されたDCT係数を逆DCTして、ブロック化データ（図１１のステップＳ７２の処理でブロック化部１５３により出力されたブロック化データに対応するブロック化データ）を復元し、動き補償部１７４に供給する。
【０２２１】
また、このときまでに、制御部１５１は、フレーム記憶部１５２より、その復元されたブロック化データに対応するフレームよりも時間的に前のフレームのデータ（以下、単に、前フレームと称する）を読み出し、有線インタフェース２２、有線４３、および、有線インタフェース３１を介して動き補償部１７４に供給する。
【０２２２】
ステップＳ９３において、動き補償部１７４は、制御部１５１より供給された前フレームと、逆DCT部１７３より供給されたブロック化データとの差分値の最小となる位置より、動きベクトルを検出し、さらに、上述したように、最小差分値を演算し、それに対応する最小差分値信号１８２を出力する。
【０２２３】
出力された最小差分値信号１８２は、無線インタフェース３２、無線４４、および、無線インタフェース２３を介して制御部１５１に供給される。
【０２２４】
制御部１５１が、この最小差分値信号１８２をDCT部１５４に供給すると、ステップＳ９４において、DCT部１５４は、供給された最小差分値信号（データ）１８２をDCT係数に変換し、量子化部１５５に供給する。
【０２２５】
ステップＳ９５において、制御部１５１は、アルゴリズムベイ１２より量子化テーブルを取得する。具体的には、制御部１５１は、有線インタフェース２２、有線４３、および、有線インタフェース３１を介して量子化テーブル記憶部１７１より、対応する量子化テーブルを取得する。
【０２２６】
ステップＳ９６において、量子化部１５５は、上述したステップＳ９５の処理で制御部１５１により取得された量子化テーブル（量子化テーブル記憶部１７１に記憶されていた量子化テーブル）を利用して、上述したステップＳ９４の処理でDCT部１５４により出力されたDCT係数（最小差分値信号１８２に対応するDCT係数）を量子化し、ハフマン符号化部１５６に供給する。
【０２２７】
図１１に戻り、ステップＳ８０において、ハフマン符号化部１５６は、上述したステップＳ７９の処理で量子化部１５５より供給された量子化データ（最小差分値信号１８２に対応する量子化データ）をハフマン符号化し、それを出力信号４２として外部に出力する。
【０２２８】
ステップＳ８１において、制御部１５１は、全てのフレーム（入力信号４１に対応する全てのフレーム）が符号化されたか否かを判定する。
【０２２９】
制御部１５１は、まだ全てのフレームが符号化されていないと判定した場合、その処理を、ステップＳ７２に戻し、それ以降の処理を繰り返す。即ち、次のフレームに対応する符号化処理が行われる。そして、全てのフレームが、符号化されて、その符号化データ（並びに、それに対応するハフマンテーブル、および、量子化テーブル）から構成される出力信号４２が外部に出力されると、ステップＳ８１において、全てのフレームが符号化されたと判定され、その処理が終了される。
【０２３０】
以上、図１の信号処理システム１の実施形態として、第１と第２の実施形態においては、クラス分類適応処理を施す信号処理システム１について、第３と第４の実施形態においては、符号化処理を施す信号処理システム１について、それぞれ説明したが、上述したように、信号処理システム１は、これらの第１乃至第４の実施形態に限定されるものではない。
【０２３１】
即ち、信号処理システム１は、入力した信号に、所定の信号処理を施して出力する第１の信号処理装置と、第１の信号処理装置の信号処理で利用する第１の情報を表す信号を、第１の信号処理装置に有線で供給する有線供給部と、第１の信号処理装置の信号処理の内容を変更するための第２の情報を表す信号を、第１の信号処理装置に無線で供給する無線供給部とを設ける第２の信号処理装置とから構成されればよい。
【０２３２】
例えば、その他の実施形態として、第１の情報は、符号化情報であり、第２の情報は、符号化情報を復号するための復号情報であり、第１の信号処理装置が、第２の信号処理装置により第１および第２の情報を表す信号が供給された場合、信号処理として、第２の情報を利用して、第１の情報を復号する復号処理を行うような信号処理システムでもよい。
【０２３３】
または、第１の情報は、暗号化された暗号化情報であり、第２の情報は、その暗号化情報を復号するための復号情報（例えば、鍵等）であり、第１の信号処理装置が、第２の信号処理装置により第１および第２の情報を表す信号が供給された場合、信号処理として、第２の情報を利用して、第１の情報を復号する復号処理を行うような信号処理システムでもよい。
【０２３４】
このように、図１の信号処理システム１においては、例えば、第１の情報として、信号処理装置１１の信号処理を変更するための基本情報を有線で、第２の情報として、信号処理を変更するための付加情報を無線で、それぞれ供給するようにしたので、以下のような効果を奏することが可能になる。
【０２３５】
即ち、第１の効果として、付加情報に対しては、有線（バス）の制約がなくなり、バージョンアップされた付加情報を容易に取り扱うことが可能になる。
【０２３６】
第２の効果として、付加情報は、一般に情報量が少ないため、従来の無線方式をそのまま利用することが可能である。
【０２３７】
第３の効果として、基本情報は、一般にバージョンアップされないので、有線で供給することにより、大容量の情報を供給することが可能になるとともに、安定した安全な供給が可能になる。
【０２３８】
第４の効果として、無線で供給される第２の情報は、画像や音声データではなく、単に信号処理で利用する情報であるため、たとえ暗号化されていなくてもセキュリティ上支障を生じることが少なくなる。
【０２３９】
換言すると、図１の信号処理システム１においては、上述した第１と第２の課題を解決することが可能になる。
【０２４０】
（第５実施形態）
以上、本発明が適用される信号処理システムとして、図１の信号処理システム１を基にして、第１乃至第４実施形態について説明したが、その実施形態は、図１の信号処理システム１に限定されるものではない。
【０２４１】
即ち、図１の信号処理システム１の信号処理装置１１は、１つの信号処理を実行する信号処理部２１が設けられているが、本発明が適用される信号処理装置として、複数の信号処理部を有するものでもよい。また、それらの複数の信号処理部のそれぞれに対して、対応するアルゴリズムベイを装着してもよいし、それらの複数の信号処理部のうちの所定のものに対してのみ、対応するアルゴリズムベイを装着してもよい。
【０２４２】
そこで、第５実施形態においては、そのような複数の信号処理部を有する信号処理装置を、テレビジョン受像機を例として説明する。
【０２４３】
図１３は、本発明の第５実施形態が適用されるテレビジョン受像機２０１の構成例を表している。
【０２４４】
この例においては、例えば、テレビジョン受像機２０１は、NTSC（National Television System Committee）方式のテレビジョン受像機とされる。
【０２４５】
図１３に示されるように、テレビジョン受像機２０１においては、所定のチャンネルの映像搬送波信号をアンテナ２１１を介して受信し、その映像搬送波信号を復調し、映像中間周波信号を出力するチューナ２１２、映像中間周波信号を復調し、コンポジット映像信号とするVIF（Video Intermediate Frequency）部２１３、コンポジット映像信号から適切な映像信号（例えば、図１３の例では、３原色のR信号、G信号、および、B信号）を生成する信号処理部２１４、および、３原色のR信号、G信号、および、B信号を入力し、画像として表示するディスプレイ等からなる表示部２１５が設けられている。
【０２４６】
信号処理部２１４は、入力された信号に対応する画像を、任意のサイズの画像に変換して、適切な映像信号（例えば、図１３の例では、３原色のR信号、G信号、および、B信号）を生成する信号処理を行う。
【０２４７】
具体的には、信号処理部２１４は、本出願人により、例えば、特願平２０００−０４７９４７号等として先に提案されているように、SD画像が入力されたとき、４倍密度の画像（HD画像）を出力する解像度創造装置や、出力画像信号による画像の解像度をユーザが所望の値に任意に調整することが可能な画像信号変換装置等に適用されている任意の解像度創造を行うという手法に基づいて、画像のリサイズやズームを行うものである。
【０２４８】
例えば、デジタルスチルカメラ、ビデオカメラ、または、インターネット等からの画像のサイズは、必ずしもテレビジョン放送により送られてくるSD画像またはHD画像のサイズに一致するとは限らない。このような場合、信号処理部２１４は、それらの様々な画像のサイズを、例えば、SD画像等の標準のサイズに変換した後、３原色のR信号、G信号、および、B信号として表示部２１５に出力することが可能である。
【０２４９】
ところで、このようなテレビジョン放送により送られてくる画像以外の画像信号、例えば、デジタルスチルカメラの画像をテレビジョン受像機に取り込むためには、従来、デジタルスチルカメラに搭載されている記録媒体（例えば、メモリースティック（本出願人であるソニー（株）の商標））等に対応する接続端子を搭載することで実現していた。
【０２５０】
例えば、ビデオカメラからの画像をテレビジョン受像機に取り込むためには、従来、ビデオカメラに搭載されている接続端子（例えば、i-Link（商標））等に対応する接続端子を搭載することで実現していた。
【０２５１】
また、例えば、インターネットからの画像をテレビジョン受像機に取り込むためには、従来、インターネットの接続ケーブル（例えば、ADSL（Asymmetrical Digital Subscriber Line）用の接続ケーブル）に対応する接続端子を搭載することで実現していた。
【０２５２】
これらのテレビジョン受像機側の接続端子は、従来、表示部（ディスプレイ）まで有線によってつながれている。
【０２５３】
しかしながら、デジタルスチルカメラの記録媒体、ビデオカメラの接続端子、および、インターネットの接続ケーブル等は、テレビジョン放送信号（例えば、NTSC信号等）のように１つに統一されていない。そのため、例えば、テレビジョン受像機に予め搭載された端子が、所望の画像を提供するメディア（例えば、デジタルスチルカメラ、ビデオカメラ、または、インターネット等）の端子と異なる場合、上述したように、その画像をテレビジョン受像機に取り込むことが困難であるという第３の課題があった。
【０２５４】
また、一般にテレビジョン受像機の買い替え周期は約１０年と称されているのに対して、これらのメディアの画像提供方式（例えば、デジタルスチルカメラの記録媒体等）は、数年周期で変更されることがあり、テレビジョン受像機に単に所定の端子のみを搭載しただけでは、新たなメディア、または、新たな画像提供方式に対応することが困難であるという第４の課題があった。
【０２５５】
本出願人は、これらテレビジョン受像機に特有な第３および第４の課題を解決する手法として、以下のような知見を得た。即ち、特定の接続端子を、あらかじめテレビジョン受像機に搭載するのではなく、オプションとして必要な接続端子を選択することができ、入れ替えることが可能な構造にする。さらに、この接続端子部分からテレビジョン受像機の内部基板までの接続を、有線から無線にする。即ち、有線の場合、搭載された接続線の伝送容量を超えることはできないので、無線にすることで、任意の伝送容量に変更することができる。さらにまた、チャンネル数（接続端子数）も自由に設定可能になる。
【０２５６】
そのような知見に基づいて、上述した図１の信号処理システム１をテレビジョン受像機に適用したものが、図１３のテレビジョン受像機２０１である。
【０２５７】
即ち、図１３に示されるように、テレビジョン受像機２０１にはさらに、信号処理部２１４に対して、テレビジョン放送信号（図１３の例では、アンテナ２１１を介してチューナ２１２により受信され、VIF部２１３を介して信号処理部２１４に供給されるNTSC信号）以外の信号を提供するために、着脱自在な有線インタフェース（接続端子）２１６、無線インタフェース２１７、並びに、有線インタフェース２１６、若しくは、無線インタフェース２１７を介して受信した各種のフォーマットに対応する画像信号のそれぞれをデコードするデコード部２１８が設けられている。
【０２５８】
有線インタフェース２１６は、例えば、上述した図１のアルゴリズムベイ１２の有線インタフェース３１と接続される。従って、デコード部２１８は、第１の情報提供部３３より供給される第１の情報を、有線で（有線インタフェース３１および有線インタフェース２１６を介して）取得することができる。
【０２５９】
無線インタフェース２１７は、例えば、上述した図１のアルゴリズムベイ１２の無線インタフェース３２と無線で接続される。従って、デコード部２１８は、第２の情報提供部３４より供給される第２の情報を、無線で（無線インタフェース３２および無線インタフェース２１７を介して）取得することができる。
【０２６０】
第１と第２の情報は、上述したように、様々な情報を適用することが可能であるが、この例が、テレビジョン受像機であることを考慮すると、例えば、上述したように、第１の情報は、符号化情報（符号化された画像データ）とされ、第２の情報は、符号化情報を復号するための復号情報とされる。この場合、デコード部２１８は、第２の情報を利用して、第１の情報（符号化された画像データ）を復号し、信号処理部２１４に供給する。
【０２６１】
または、第１の情報は、暗号化された暗号化情報（暗号化された有料画像等の画像データ）とされ、第２の情報は、その暗号化情報を復号するための復号情報（例えば、鍵等）とされる。この場合、デコード部２１８は、第２の情報を利用して、第１の情報（暗号化された画像データ）を復号し、信号処理部２１４に供給する。
【０２６２】
これにより、上述した第４の効果と同様の効果を奏することが可能になる。
【０２６３】
また、有線インタフェース２１６は、着脱可能とされるので、図１４に示されるように、アルゴリズムベイ１２に対応する有線インタフェース２１６−１以外に、他の外部メディア２１９の有線インタフェース２３１と接続可能な有線インタフェース２１６−２を設ける等、様々な形態を取ることが可能になる。
【０２６４】
例えば、外部メディア２１９が、デジタルスチルカメラで撮影された画像を記憶するメモリスティック等の記録媒体とされると、有線インタフェース２１６−２は、その記録媒体に対応する接続端子とされる。
【０２６５】
例えば、外部メディア２１９が、ビデオカメラとされると、有線インタフェース２１６−２は、そのビデオカメラに対応する接続端子（例えば、i-Link端子等）とされる。
【０２６６】
例えば、外部メディア２１９が、インターネットとされると、有線インタフェース２１６−２は、インターネットに接続するためのケーブルを接続する接続端子とされる。
【０２６７】
このように、有線インタフェース２１６−２として、所定の規格で規定される種類のコネクタを設けることで、テレビジョン受像機２０１は、その規格に対応する信号を容易に取り込むことが可能になる。さらに、新たな規格が規定されても、単にその規格に対応する有線インタフェース２１６−２を製作すればよいので、新たな規格に対応する信号を容易に取り込むことが可能になる。これにより、上述した第３と第４の課題を解決することが可能になる。
【０２６８】
また、外部メディア２１９は、図１４に示されるように、無線インタフェース２１７と無線で接続可能な無線インタフェース２３２をさらに設けることによって、情報（画像データ等）を無線でテレビジョン受像機２０１に供給することが可能になる。これにより、上述した第３と第４の課題を解決することが可能になる。
【０２６９】
さらに、他の外部メディア２３３と有線で接続する外部インタフェース２３４、および、テレビジョン受像機２０１の無線インタフェース２１７と無線で接続する無線インタフェース２３５からなる接続端子２２０も設けることが可能である。
【０２７０】
この場合も、上述した第３と第４の課題を解決することが可能になる。
【０２７１】
なお、図１４に示されるアルゴリズムベイ１２、外部メディア２１９のうちの有線インタフェース２３１、および、無線インタフェース２３２を構成する部分、並びに、接続端子２２０の形態は、特に限定されないが、これらは、テレビジョン受像機２０１に装着される基板として形成され、その基板はパッケージに収納され、有線インタフェース３１、無線インタフェース３２、有線インタフェース２３１、無線インタフェース２３２、および、無線インタフェース２３５のそれぞれは、対応するパッケージに配設するるとよい。
【０２７２】
また、テレビジョン受像機２０１は、このパッケージを収納する収納部（図示せず）を設け、その収納部のうちの、パッケージが収納された場合に、パッケージの有線インタフェースと接続可能な位置に有線インタフェース２１６を配設するとともに、パッケージの無線インタフェースと接続可能な位置に無線インタフェース２１７を配設するとよい。
【０２７３】
これにより、ユーザは、アルゴリズムベイ１２、外部メディア２１９、または、接続端子２２０を、容易にテレビ受像機２０１に接続することが可能になる。
【０２７４】
次に、図１５のフローチャートを参照して、図１３のテレビジョン受像機２０１の処理例について説明する。
【０２７５】
図１３に示されるように、例えば、いま、テレビジョン受像機２０１には、アルゴリズムベイ１２が接続されているものとする。即ち、有線インタフェース３１と有線インタフェース２１６とが有線で接続されており、かつ、無線インタフェース３２と無線インタフェース２１７とが無線で接続されているものとする。
【０２７６】
また、この例においては、例えば、第１の情報提供部３３は、第１の情報として、符号化された映像データ（以下、符号化映像データと称する）を供給し、かつ、第２の情報提供部３４は、第２の情報として、第１の情報である符号化映像データを復号するために必要なデータ（以下、復号情報と称する）を供給するものとする。
【０２７７】
はじめに、ステップＳ１０１において、図１３のテレビジョン受像機２０１のデコード部２１８は、外部機器からの映像を取り込む。
【０２７８】
具体的には、この例においては、デコード部２１８は、有線インタフェース２１６、および、有線インタフェース３１を介して第１の情報提供部３３より符号化映像データを取得し（取り込み）、かつ、無線インタフェース２１７、および、無線インタフェース３２を介して第２の情報提供部３４より復号情報を取得する。
【０２７９】
ステップＳ１０２において、デコード部２１８は、取り込んだ映像をデコード（復号）する。
【０２８０】
具体的には、この例においては、デコード部２１８は、上述したステップＳ１０１の処理で取得した復号情報を利用して、上述したステップＳ１０１の処理で取り込んだ符号化映像データをデコードし、元の映像データに復元して、信号処理部２１４に供給する。
【０２８１】
このとき、信号処理部２１４には、同時に、チューナ２１２がアンテナ２１１を介して受信し、出力したテレビジョン放送の映像中間周波信号が、VIF部２１３により復調され、コンポジット映像信号（以下、単に、テレビジョン放送の映像信号と称する）として、供給されているものとする。
【０２８２】
ステップＳ１０３において、信号処理部２１４は、ステップＳ１０２の処理でデコード部２１８により供給された外部機器（この例では、アルゴリズムベイ１２）からの映像データ、および、テレビジョン放送の映像信号のうちのいずれか一方を選択する。
【０２８３】
そして、ステップＳ１０４において、信号処理部２１４は、上述したステップＳ１０３の処理で選択した映像（データまたは信号）のサイズを変換し、適切な映像信号（例えば、図１３の例では、３原色のR信号、G信号、および、B信号）として表示部２１５に供給する。
【０２８４】
ステップＳ１０５において、表示部２１５は、ステップＳ１０４の処理で信号処理部２１４によりサイズが変換された映像を表示する。具体的には、表示部２１５は、３原色のR信号、G信号、および、B信号を入力し、それららの信号に対応する映像を表示する。
【０２８５】
このように、図１３のテレビジョン受像機２０１は、着脱可能な有線インタフェース２１６、および、無線インタフェース２１７を有しているので、上述した図１の信号処理システム１（信号処理装置１１）と同様に、上述した第１および第２の課題を解決するとともに、さらに、上述したテレビジョン受像機特有の第３および第４の課題も解決することが可能になる。
【０２８６】
上述した一連の処理は、ハードウエアにより実行させることもできるが、ソフトウエアにより実行させることができる。
【０２８７】
この場合、上述した各種の信号処理装置や、アルゴリズムベイに相当する信号処理装置は、例えば、図１６に示されるようなパーソナルコンピュータにより構成される。
【０２８８】
図１６に示されるように、CPU（Central Processing Unit）３０１は、ROM（Read Only Memory）３０２に記録されているプログラム、または記憶部３０８からRAM（Random Access Memory）３０３にロードされたプログラムに従って各種の処理を実行する。RAM３０３にはまた、CPU３０１が各種の処理を実行する上において必要なデータなども適宜記憶される。
【０２８９】
CPU３０１、ROM３０２、およびRAM３０３は、バス３０４を介して相互に接続されている。このバス３０４にはまた、入出力インタフェース３０５も接続されている。
【０２９０】
入出力インタフェース３０５には、キーボード、マウスなどよりなる入力部３０６、ディスプレイなどよりなる出力部３０７、ハードディスクなどより構成される記憶部３０８、モデム、ターミナルアダプタなどより構成される通信部３０９が接続されている。通信部３０９には、有線インタフェース３１２と無線インタフェース３１３が接続されている。即ち、通信部３０９は、有線インタフェース３１２を介して他の信号処理装置との有線の通信処理を行うとともに、無線インタフェース３１３を介しての他の信号処理装置との無線の通信処理を行う。
【０２９１】
入出力インタフェース３０５にはまた、必要に応じてドライブ３１０が接続され、磁気ディスク、光ディスク、光磁気ディスク、或いは半導体メモリなどよりなるリムーバブル記録媒体３１１が適宜装着され、それらから読み出されたコンピュータプログラムが、必要に応じて記憶部３０８にインストールされる。
【０２９２】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２９３】
この記録媒体は、図１６に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）３１１により構成されるだけでなく、装置本体に予め組み込まれた状態でユーザに提供される、プログラムが記録されているROM３０２や、記憶部３０８に含まれるハードディスクなどで構成される。
【０２９４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２９５】
また、本明細書において、システムとは、複数の装置や処理部により構成される装置全体を表すものである。
【図面の簡単な説明】
【０２９６】
【図１】本発明が適用される信号処理システムの構成例を示すブロック図である。
【図２】クラス分類適応処理を行う場合の図１の信号処理システムの構成例を示すブロック図である。
【図３】クラス分類適応処理で利用するタップ例を説明する図である。
【図４】クラス分類適応処理で利用するタップ例を説明する図である。
【図５】図２の信号処理システムの処理を説明するフローチャートである。
【図６】クラス分類適応処理を行う場合の図１の信号処理システムの他の構成例を示すブロック図である。
【図７】図６の信号処理システムの処理を説明するフローチャートである。
【図８】符号化処理を行う場合の図１の信号処理システムの構成例を示すブロック図である。
【図９】図８の信号処理システムの処理を説明するフローチャートである。
【図１０】符号化処理を行う場合の図１の信号処理システムの他の構成例を示すブロック図である。
【図１１】図１０の信号処理システムの処理を説明するフローチャートである。
【図１２】図１１の信号処理システムの処理の動き補償処理の詳細を説明するフローチャートである。
【図１３】本発明が適用されるテレビジョン受像機の構成例を示すブロック図である。
【図１４】図１３のテレビジョン受像機の有線インタフェース、または、無線インタフェースに接続される外部機器を説明する図である。
【図１５】図１３のテレビジョン受像機の処理を説明するフローチャートである。
【図１６】本発明が適用される信号処理装置の他の構成例を示すブロック図である。
【符号の説明】
【０２９７】
１  信号処理システム，  １１  信号処理装置，  １２  アルゴリズムベイ，  ２１  信号処理部，  ２２  有線インタフェース，  ２３  無線インタフェース，  ３１  有線インタフェース，  ３２  無線インタフェース，  ３３  第１の情報提供部，  ３４  第２の情報提供部，  ４３  有線，  ４４  無線，  ６２  特徴検出部，  ６３  適応処理部，  ７２  解像度創造用係数記憶部，  ７３  ノイズ除去用係数記憶部，  ７４  リサイズ用係数記憶部，  ７６  解像度創造用付加係数記憶部，  ７７  ノイズ除去用付加係数記憶部，  ７８  リサイズ用付加係数記憶部，  １０１  解像度創造用係数記憶部，  １０２  ノイズ除去用係数記憶部，  １２２  ブロック化部，  １２３  ＤＣＴ部，  １２４  量子化部，  １３１  第１の量子化テーブル記憶部，  １３２  第２の量子化テーブル記憶部，  １５３  ブロック化部，  １５４  ＤＣＴ部，  １５５  量子化部，  １７１  量子化テーブル記憶部，  １７２  逆量子化部，  １７３  逆ＤＣＴ部，  １７４  動き補償部，  １８２  動き補償処理の結果（最小差分値），  ２０１  テレビジョン受像機，  ２１４  信号処理部，  ２１６  有線インタフェース，  ２１７  無線インタフェース
【図１】
2008172777.tif 000011
【図２】
2008172777.tif 000012
【図３】
2008172777.tif 000013
【図４】
2008172777.tif 000014
【図５】
2008172777.tif 000015
【図６】
2008172777.tif 000016
【図７】
2008172777.tif 000017
【図８】
2008172777.tif 000018
【図９】
2008172777.tif 000019
【図１０】
2008172777.tif 000020
【図１１】
2008172777.tif 000021
【図１２】
2008172777.tif 000022
【図１３】
2008172777.tif 000023
【図１４】
2008172777.tif 000024
【図１５】
2008172777.tif 000025
【図１６】
2008172777.tif 000026